(57)【要約】【課題】３Ｄ画像を複数の観察者で見る場合、観察者の要望に応じた画像になるように観察者に切り替え操作を負担させることなく、個別の観察者の希望する表示状態を実現することができない。【解決手段】立体画像表示装置側に、観察者を特定する観察者検出部と、観察者及び立体視用眼鏡のそれぞれの個別データを格納及び管理する観察者及び立体視用眼鏡データベースとを設け、観察者が希望する表示状態になるように、観察者が使用している立体視用眼鏡に自動的に指示する。【選択図】図１
2012156991.tif 000002
【特許請求の範囲】
【請求項１】
立体画像信号を表示部に表示可能な立体画像表示装置において、
前記表示部に３Ｄ画像又は２Ｄ画像を出力する画像処理部と、
前記立体画像を観察する観察者を検出するための観察者検出部と、
前記観察者検出部より検出された個別データを登録する観察者登録手段と、
前記立体画像を観察するための立体視用眼鏡の個別データを登録する眼鏡登録手段と、
前記観察者の個別データと立体視用眼鏡の個別データとを管理する観察者及び立体視用眼鏡データベースと、
前記観察者及び立体視用眼鏡データベースの照合結果に基づき、前記表示部に表示される立体画像信号を立体画像として見るための同期信号を送信するための送信部と
を備える
ことを特徴とする立体画像表示装置。
【請求項２】
請求項１記載の立体画像表示装置であって、
前記観察者検出部は、表示部に向いている観察者と前記観察者が装着している前記立体視用眼鏡を前記観察者及び立体視用眼鏡データベースにより検出し、前記観察者及び立体視用眼鏡データベースに格納されている観察者の関連情報より、前記観察者が要望する表示状態になるように、前記観察者が装着している前記立体視用眼鏡に対して３Ｄモードか２Ｄモードかを指示する制御信号を前記同期信号に重畳した
ことを特徴とする立体画像表示装置。
【請求項３】
請求項１又は請求項２記載の立体画像表示装置であって、
前記観察者検出部で検出された全ての前記観察者が前記立体視用眼鏡を着用していないと前記観察者検出部が判断した場合は、前記画像処理部より出力する３Ｄ画像は、右目用画像又は左目用画像のどちらか一方を出力する
ことを特徴とする立体画像表示装置。
【請求項４】
請求項１又は請求項２記載の立体画像表示装置であって、
前記観察者検出部で検出された全ての前記観察者の関連情報が２Ｄ表示を要望している場合は、前記画像処理部より出力する３Ｄ画像は、右目用画像又は左目用画像のどちらか一方を出力する
ことを特徴とする立体画像表示装置。
【請求項５】
画像信号に係る立体画像又は平面画像を表示部に表示する立体画像表示装置において、
前記表示部に立体画像又は平面画像に係る画像信号を出力する画像処理部と、
前記表示部に表示される画像を観察する観察者及び該表示部に表示される立体画像を観察するための立体視用眼鏡を検出する検出部と、
前記観察者及び立体視用眼鏡の属性情報を登録するデータベースと、
前記検出部が検出した観察者を前記データベースに登録する観察者登録手段と、
前記検出部が検出した立体視用眼鏡を前記データベースに登録する眼鏡登録手段と、
前記検出部が検出した観察者又は立体視用眼鏡に基づいて、前記データベースに登録された属性情報を照合する照合手段と
を備え、
前記観察者登録手段は、前記検出部が検出した観察者及び観察者間における優先度を対応付けて前記データベースに登録するようにしてあり、
前記照合手段が照合した照合結果に基づいて、前記検出部が検出した観察者のうち最も優先度の高い観察者が前記立体視用眼鏡を着用しているか否かを判定する判定手段を備え、
前記画像処理部は、前記判定手段が最も優先度の高い観察者が前記立体視用眼鏡を着用していないと判定した場合、立体画像における右目用画像又は左目用画像に係る画像信号を前記表示部に出力するようにしてあり、
前記表示部は、前記画像処理部が出力した前記画像信号に係る画像を表示するようにしてある
ことを特徴とする立体画像表示装置。
【請求項６】
画像信号に係る立体画像又は平面画像を表示部に表示する立体画像表示装置において、
前記表示部に立体画像又は平面画像に係る画像信号を出力する画像処理部と、
前記表示部に表示される画像を観察する観察者及び該表示部に表示される立体画像を観察するための立体視用眼鏡を検出する検出部と、
前記観察者及び立体視用眼鏡の属性情報を登録するデータベースと、
前記検出部が検出した観察者を前記データベースに登録する観察者登録手段と、
前記検出部が検出した立体視用眼鏡を前記データベースに登録する眼鏡登録手段と、
前記検出部が検出した観察者又は立体視用眼鏡に基づいて、前記データベースに登録された属性情報を照合する照合手段と、
該照合手段が照合した照合結果に基づいて、前記表示部が表示する立体画像に対応する同期信号を前記立体視用眼鏡に送信する送信部と
を備え、
前記観察者登録手段は、前記検出部が検出した観察者、観察者間における優先度及び平面画像又は立体画像の表示選択を対応付けて前記データベースに登録するようにしてあり、
前記照合手段が照合した照合結果に基づいて、前記検出部が検出した観察者のうち最も優先度の高い観察者が前記立体視用眼鏡を着用しているか否かを判定する判定手段を備え、
前記画像処理部は、前記判定手段が最も優先度の高い観察者が前記立体視用眼鏡を着用していないと判定した場合、立体画像における右目用画像又は左目用画像に係る画像信号を前記表示部に出力するようにしてあり、
前記表示部は、前記画像処理部が出力した前記画像信号に係る画像を表示するようにしてあり、
前記送信部は、前記データベースに登録された平面画像又は立体画像の表示選択に対応する制御信号が重畳された前記同期信号を前記立体視用眼鏡に送信するようにしてある
ことを特徴とする立体画像表示装置。
【請求項７】
画像信号に係る立体画像又は平面画像を表示部に表示する立体画像表示装置において、
前記表示部に立体画像又は平面画像に係る画像信号を出力する画像処理部と、
前記表示部に表示される画像を観察する観察者及び該表示部に表示される立体画像を観察するための立体視用眼鏡を検出する検出部と、
前記観察者及び立体視用眼鏡の属性情報を登録するデータベースと、
前記検出部が検出した観察者を前記データベースに登録する観察者登録手段と、
前記検出部が検出した立体視用眼鏡を前記データベースに登録する眼鏡登録手段と、
前記検出部が検出した観察者又は立体視用眼鏡に基づいて、前記データベースに登録された属性情報を照合する照合手段と
を備え、
前記観察者登録手段は、前記検出部が検出した観察者、観察者間における優先度及び平面画像又は立体画像の表示選択を対応付けて前記データベースに登録するようにしてあり、
前記画像処理部は、前記照合手段が照合した照合結果に基づいて、前記検出部が検出した観察者のうち最も優先度の高い観察者及び平面画像の表示選択が対応する場合、立体画像における右目用画像又は左目用画像に係る画像信号を前記表示部に出力するようにしてあり、
前記表示部は、前記画像処理部が出力した前記画像信号に係る画像を表示するようにしてある
ことを特徴とする立体画像表示装置。
【請求項８】
画像信号に係る立体画像又は平面画像を表示部に表示する立体画像表示装置において、
前記表示部に立体画像又は平面画像に係る画像信号を出力する画像処理部と、
前記表示部に表示される画像を観察する観察者及び該表示部に表示される立体画像を観察するための立体視用眼鏡を検出する検出部と、
前記観察者及び立体視用眼鏡の属性情報を登録するデータベースと、
前記検出部が検出した観察者を前記データベースに登録する観察者登録手段と、
前記検出部が検出した立体視用眼鏡を前記データベースに登録する眼鏡登録手段と、
前記検出部が検出した観察者又は立体視用眼鏡に基づいて、前記データベースに登録された属性情報を照合する照合手段と
を備え、
前記観察者登録手段は、前記検出部が検出した観察者及び平面画像又は立体画像の表示選択を対応付けて前記データベースに登録するようにしてあり、
前記眼鏡登録手段は、前記検出部が検出した立体視用眼鏡及び立体視用眼鏡間における優先度を対応付けて前記データベースに登録するようにしてあり、
前記画像処理部は、前記照合手段が照合した照合結果に基づいて、前記検出部が検出した立体視用眼鏡のうち最も優先度の高い立体視用眼鏡を装着した観察者及び平面画像の表示選択が対応する場合、立体画像における右目用画像又は左目用画像に係る画像信号を前記表示部に出力するようにしてあり、
前記表示部は、前記画像処理部が出力した前記画像信号に係る画像を表示するようにしてある
ことを特徴とする立体画像表示装置。
【請求項９】
画像信号に係る立体画像又は平面画像を表示部に表示する立体画像表示装置において、
前記表示部に立体画像又は平面画像に係る画像信号を出力する画像処理部と、
前記表示部に表示される画像を観察する観察者及び該表示部に表示される立体画像を観察するための立体視用眼鏡を検出する検出部と、
前記観察者及び立体視用眼鏡の属性情報を登録するデータベースと、
前記検出部が検出した観察者を前記データベースに登録する観察者登録手段と、
前記検出部が検出した立体視用眼鏡を前記データベースに登録する眼鏡登録手段と、
前記検出部が検出した観察者又は立体視用眼鏡に基づいて、前記データベースに登録された属性情報を照合する照合手段と、
該照合手段が照合した照合結果に基づいて、前記表示部が表示する立体画像に対応する同期信号を前記立体視用眼鏡に送信する送信部と
を備え、
前記観察者登録手段は、前記検出部が検出した観察者、観察者間における優先度及び平面画像又は立体画像の表示選択を対応付けて前記データベースに登録するようにしてあり、
前記眼鏡登録手段は、前記検出部が検出した立体視用眼鏡及び立体視用眼鏡間の優先度を対応付けて前記データベースに登録するようにしてあり、
前記画像処理部は、前記照合手段が照合した照合結果に基づいて、前記検出部が検出した観察者のうち最も優先度の高い観察者が複数である場合、該観察者のうち最も優先度の高い立体視用眼鏡を着用した観察者及び平面画像の表示選択が対応するとき、立体画像における右目用画像又は左目用画像に係る画像信号を前記表示部に出力するようにしてあり、
前記表示部は、前記画像処理部が出力した前記画像信号に係る画像を表示するようにしてあり、
前記送信部は、前記データベースに登録された平面画像又は立体画像の表示選択に対応する制御信号が重畳された前記同期信号を前記立体視用眼鏡に送信するようにしてある
ことを特徴とする立体画像表示装置。
【請求項１０】
両眼視差技術を用いた３Ｄ画像を見るための立体視用眼鏡であって、
右目用画像と左目用画像の表示タイミングに同期して送信される同期信号と、前記同期信に重畳して送信される制御信号を受信し、分離することが可能な受信部と、
前記受信部で受信した同期信号に応じて、右目用シャッターと左目用シャッターの開閉を制御する同期回路と
を備える
ことを特徴とする立体視用眼鏡。
【請求項１１】
請求項１０記載の立体視用眼鏡であって、
前記同期回路は、前記受信部で受信した制御信号により、２Ｄ画像表示の指示された場合には、左目用シャッターと右目用シャッターの開閉タイミングを前記右目用画像又は前記左目用画像のどちらか一方の表示タイミングにする切替手段を有する
ことを特徴とする立体視用眼鏡。
【請求項１２】
請求項１０又は請求項１１記載の立体視用眼鏡であって、
前記同期回路は、前記受信部が制御信号を受信している期間は、制御信号を受信する以前の同期信号に同期して、自走する
ことを特徴とする立体視用眼鏡。
【請求項１３】
請求項１０から請求項１２記載の立体視用眼鏡であって、
前記立体視用眼鏡の正面から撮影した際に他の前記立体視用眼鏡と画像判別可能な個別選別用マーク部を具備する
ことを特徴とする立体視用眼鏡。
【請求項１４】
請求項１３記載の立体視用眼鏡であって、
前記個別選別用マーク部は、前記立体視用眼鏡の正面に具備する
ことを特徴とする立体視用眼鏡。
【請求項１５】
請求項１３記載の立体視用眼鏡であって、
前記個別選別用マーク部は、フレームの形状で識別可能な様に前記立体視用眼鏡のフレームの側面部分に具備する
ことを特徴とする立体視用眼鏡。
【請求項１６】
請求項１０から請求項１５記載の立体視用眼鏡であって、
前記立体視用眼鏡の着脱を検出するための着脱検出部を具備し、前記立体視用眼鏡を脱離したことを検知すると、着脱検知以外の立体視用眼鏡の電源をオフにする
ことを特徴とする立体視用眼鏡。
【請求項１７】
請求項１６記載の立体視用眼鏡であって、
着脱検知部は、鼻当て部分に設けた
ことを特徴とする立体視用眼鏡。
【請求項１８】
請求項１６記載の立体視用眼鏡であって、
着脱検知部は、フレームの内側の観察者の肌に触れる部分に設けた
ことを特徴とする立体視用眼鏡。
【請求項１９】
請求項１６記載の立体視用眼鏡であって、
着脱検知部は、前記立体視用眼鏡のフレームが観察者の耳の上に乗る部分に設けた
ことを特徴とする立体視用眼鏡。
【発明の詳細な説明】
【技術分野】
【０００１】
本発明は、複数の観察者が立体（３Ｄ）画像を観察する際に、観察者の希望する表示状態に応じて立体（３Ｄ）画像か平面（２Ｄ）画像かを切り替えて見られるようにする、立体画像表示装置及び立体視用眼鏡に関するものである。
【背景技術】
【０００２】
近年、普及し始めている３Ｄ画像は、両眼視差技術を基にして制作されている。例えば非特許文献１には、３Ｄ画像に関する技術説明と３Ｄ画像に関する安全基準について記載されている。人は、右目と左目の二つの視点からの画像信号を認識して、被写体が立体的なのかどうかを判断している。人の右目と左目の間の距離は、子供から大人の場合約５〜７ｃｍ離れている。そのため、それぞれの左右の目に入る画像は観察者の視点の違いの分だけ異なってくる。その違いは、被写体までの距離が近いと大きくなり、遠いと小さくなる。脳は、この両眼の視差を手がかりとして、被写体が立体であるかどうかを知覚するのである。
【０００３】
人は、視点が異なる画像を右目と左目それぞれに独立に与えることにより、画像に奥行きを感じさせることができる。液晶シャッター等の３Ｄ用眼鏡を用い、右目左目に独立に且つ定期的に画像を与えるようにしたのが両眼視差を利用した３Ｄディスプレイである。例えば、この原理のディスプレイに右目用と左目用の画像が順次配置されると、ディスプレイに表示された画像は立体感を持ち、ディスプレイ面に対し、前後に飛び出した立体画像として知覚できる。また、視差を大きくすると飛び出し量や引っ込み量が大きくなり、液晶シャッター等の３Ｄ用眼鏡を用いて、画像を見ている観察者に驚きと感動を与えることができる。
【０００４】
また、３ＤＴＶ用の３Ｄ用眼鏡には、３Ｄ画像から２Ｄ画像に切り替えを行うための切り替えスイッチがついたものも市販されている。これらの３Ｄ用眼鏡を掛け、３Ｄ画像を見ている観察者が、目が疲れてきた場合に自ら、そのスイッチをダブルクリックすることにより、見ている３Ｄ画像を強制的に２Ｄ画像に切り替えることができる。右目用と左目用の画像を交互に表示する３ＤＴＶで用いられる液晶シャッター付きのメガネでは、切り替えスイッチが押され、２Ｄ画像への切り替えが選択されると、左目用及び右目用のそれぞれの液晶シャッターは、右目用画像が表示されるタイミングか、左目用画像が表示されるタイミングかのどちらか一方のタイミングでシャッターが開かれ、右目用或いは左目用のどちらか一方の同じ画像を両眼で見ることになる。
【０００５】
特許文献１では、３Ｄ用眼鏡のフレームに反射材を備え、表示装置には、光を射出する手段と反射した光を受光する受光手段を備え、３Ｄ用眼鏡からの反射光を受光することで、３Ｄ用眼鏡の着脱を判別し、３Ｄ画像と２Ｄ画像の表示を切り替える立体画像表示装置が紹介されている。図６は、特許文献１での立体画像表示装置の概略構成を示す斜視図である。この立体画像表示装置では、前記３ＤＴＶと同様に、右用画像と左用画像が交互に表示されている。立体画像表示装置は、着脱検出用の光を射出し、３Ｄ用眼鏡のフレームを備えた反射材からの反射光を受信するかどうか確認する。立体画像表示装置は、反射光を受信した場合、観察者が３Ｄ用眼鏡を使用していると判断し、そのまま３Ｄ画像を表示する。３Ｄ眼鏡を装着した観察者は、３Ｄ画像を観察することができる。また、反射光を受信しない場合、観察者が３Ｄ用眼鏡を脱離していると判断し、上記右目用画像あるいは上記左目用画像のいずれか一方のみを生成し、観察者の手を煩わせる事無く、２Ｄ画像を自動的に切り替え表示している。
【先行技術文献】
【非特許文献】
【０００６】
【非特許文献１】“３ＤＣ安全ガイドライン”、［online］、平成２２年４月２０日、３Ｄコンソーシアム安全ガイドライン部会、［平成２２年６月８日検索］、インターネット〈URL:http://www.3dc.gr.jp/jp/scmt_wg_rep/3dc_guideJ_20100420.pdf〉
【特許文献】
【０００７】
【特許文献１】特開２００６−８４９６４号公報
【発明の概要】
【発明が解決しようとする課題】
【０００８】
しかしながら、このように作成された３Ｄ画像を３Ｄとして認識できない人は、専門家によれば４％〜１０％くらいの割合で存在するようである。何らかの要因（斜視／弱視／乱視等）で両眼を、同一空間に焦点を結ぶようにすることができないのである。これらの人にとっては、３Ｄ画像は見てくれの悪い２Ｄ画像を見ることになってしまい、不快になったり、頭痛を引き起こしたりする要因となってしまう。複数の人と３Ｄ番組を２Ｄで見たい場合は、その都度、眼鏡をかけ２Ｄへの切り替えるための操作を行わなければならず、観察者に煩わしさを感じさせることになる。
【０００９】
また、このように作成された３Ｄ画像を長時間連続して見ることは、眼精疲労を起こし、不快になったり、頭痛を引き起こしたりする要因となってしまう。同じ番組を複数の人が同時に見ている場合、全員が３Ｄ画像或いは２Ｄ画像のどちらか一方の画像を希望する場合は、特許文献１に記載されている立体画像表示装置により対応することができるが、複数の人が希望する画像がそれぞれ異なる場合は対応することができない。
【００１０】
そこで、本発明は、上記課題を解決する為になされたものであり、３Ｄ用眼鏡をかけている観察者に応じて、３Ｄ画像または２Ｄ画像を自動的に判断して提供するので、観察者が切り替え操作を行うことなく、観察者の希望する表示状態を実現することを目的とする。
【課題を解決するための手段】
【００１１】
本発明に係る立体画像装置は、立体画像信号を表示部に表示可能な立体画像表示装置において、前記表示部に３Ｄ画像又は２Ｄ画像を出力する画像処理部と、前記立体画像を観察する観察者を検出するための観察者検出部と、前記観察者検出部より検出された個別データを登録する観察者登録手段と、前記立体画像を観察するための立体視用眼鏡の個別データを登録する眼鏡登録手段と、前記観察者の個別データと立体視用眼鏡の個別データとを管理する観察者及び立体視用眼鏡データベースと、前記観察者及び立体視用眼鏡データベースの照合結果に基づき、前記表示部に表示される立体画像信号を立体画像として見るための同期信号を送信するための送信部とを備えることを特徴とする。
【００１２】
本発明に係る立体画像装置は、前記観察者検出部は、表示部に向いている観察者と前記観察者が装着している前記立体視用眼鏡を前記観察者及び立体視用眼鏡データベースにより検出し、前記観察者及び立体視用眼鏡データベースに格納されている観察者の関連情報より、前記観察者が要望する表示状態になるように、前記観察者が装着している前記立体視用眼鏡に対して３Ｄモードか２Ｄモードかを指示する制御信号を前記同期信号に重畳したことを特徴とする。
【００１３】
本発明に係る立体画像装置は、前記観察者検出部で検出された全ての前記観察者が前記立体視用眼鏡を着用していないと前記観察者検出部が判断した場合は、前記画像処理部より出力する３Ｄ画像は、右目用画像又は左目用画像のどちらか一方を出力することを特徴とする。
【００１４】
本発明に係る立体画像装置は、前記観察者検出部で検出された全ての前記観察者の関連情報が２Ｄ表示を要望している場合は、前記画像処理部より出力する３Ｄ画像は、右目用画像又は左目用画像のどちらか一方を出力することを特徴とする。
【００１５】
本発明に係る立体画像表示装置は、画像信号に係る立体画像又は平面画像を表示部に表示する立体画像表示装置において、前記表示部に立体画像又は平面画像に係る画像信号を出力する画像処理部と、前記表示部に表示される画像を観察する観察者及び該表示部に表示される立体画像を観察するための立体視用眼鏡を検出する検出部と、前記観察者及び立体視用眼鏡の属性情報を登録するデータベースと、前記検出部が検出した観察者を前記データベースに登録する観察者登録手段と、前記検出部が検出した立体視用眼鏡を前記データベースに登録する眼鏡登録手段と、前記検出部が検出した観察者又は立体視用眼鏡に基づいて、前記データベースに登録された属性情報を照合する照合手段とを備え、前記観察者登録手段は、前記検出部が検出した観察者及び観察者間における優先度を対応付けて前記データベースに登録するようにしてあり、前記照合手段が照合した照合結果に基づいて、前記検出部が検出した観察者のうち最も優先度の高い観察者が前記立体視用眼鏡を着用しているか否かを判定する判定手段を備え、前記画像処理部は、前記判定手段が最も優先度の高い観察者が前記立体視用眼鏡を着用していないと判定した場合、立体画像における右目用画像又は左目用画像に係る画像信号を前記表示部に出力するようにしてあり、前記表示部は、前記画像処理部が出力した前記画像信号に係る画像を表示するようにしてあることを特徴とする。
【００１６】
本発明に係る立体画像表示装置は、画像信号に係る立体画像又は平面画像を表示部に表示する立体画像表示装置において、前記表示部に立体画像又は平面画像に係る画像信号を出力する画像処理部と、前記表示部に表示される画像を観察する観察者及び該表示部に表示される立体画像を観察するための立体視用眼鏡を検出する検出部と、前記観察者及び立体視用眼鏡の属性情報を登録するデータベースと、前記検出部が検出した観察者を前記データベースに登録する観察者登録手段と、前記検出部が検出した立体視用眼鏡を前記データベースに登録する眼鏡登録手段と、前記検出部が検出した観察者又は立体視用眼鏡に基づいて、前記データベースに登録された属性情報を照合する照合手段と、該照合手段が照合した照合結果に基づいて、前記表示部が表示する立体画像に対応する同期信号を前記立体視用眼鏡に送信する送信部とを備え、前記観察者登録手段は、前記検出部が検出した観察者、観察者間における優先度及び平面画像又は立体画像の表示選択を対応付けて前記データベースに登録するようにしてあり、前記照合手段が照合した照合結果に基づいて、前記検出部が検出した観察者のうち最も優先度の高い観察者が前記立体視用眼鏡を着用しているか否かを判定する判定手段を備え、前記画像処理部は、前記判定手段が最も優先度の高い観察者が前記立体視用眼鏡を着用していないと判定した場合、立体画像における右目用画像又は左目用画像に係る画像信号を前記表示部に出力するようにしてあり、前記表示部は、前記画像処理部が出力した前記画像信号に係る画像を表示するようにしてあり、前記送信部は、前記データベースに登録された平面画像又は立体画像の表示選択に対応する制御信号が重畳された前記同期信号を前記立体視用眼鏡に送信するようにしてあることを特徴とする。
【００１７】
本発明に係る立体画像表示装置は、画像信号に係る立体画像又は平面画像を表示部に表示する立体画像表示装置において、前記表示部に立体画像又は平面画像に係る画像信号を出力する画像処理部と、前記表示部に表示される画像を観察する観察者及び該表示部に表示される立体画像を観察するための立体視用眼鏡を検出する検出部と、前記観察者及び立体視用眼鏡の属性情報を登録するデータベースと、前記検出部が検出した観察者を前記データベースに登録する観察者登録手段と、前記検出部が検出した立体視用眼鏡を前記データベースに登録する眼鏡登録手段と、前記検出部が検出した観察者又は立体視用眼鏡に基づいて、前記データベースに登録された属性情報を照合する照合手段とを備え、前記観察者登録手段は、前記検出部が検出した観察者、観察者間における優先度及び平面画像又は立体画像の表示選択を対応付けて前記データベースに登録するようにしてあり、前記画像処理部は、前記照合手段が照合した照合結果に基づいて、前記検出部が検出した観察者のうち最も優先度の高い観察者及び平面画像の表示選択が対応する場合、立体画像における右目用画像又は左目用画像に係る画像信号を前記表示部に出力するようにしてあり、前記表示部は、前記画像処理部が出力した前記画像信号に係る画像を表示するようにしてあることを特徴とする。
【００１８】
本発明に係る立体画像表示装置は、画像信号に係る立体画像又は平面画像を表示部に表示する立体画像表示装置において、前記表示部に立体画像又は平面画像に係る画像信号を出力する画像処理部と、前記表示部に表示される画像を観察する観察者及び該表示部に表示される立体画像を観察するための立体視用眼鏡を検出する検出部と、前記観察者及び立体視用眼鏡の属性情報を登録するデータベースと、前記検出部が検出した観察者を前記データベースに登録する観察者登録手段と、前記検出部が検出した立体視用眼鏡を前記データベースに登録する眼鏡登録手段と、前記検出部が検出した観察者又は立体視用眼鏡に基づいて、前記データベースに登録された属性情報を照合する照合手段とを備え、前記観察者登録手段は、前記検出部が検出した観察者及び平面画像又は立体画像の表示選択を対応付けて前記データベースに登録するようにしてあり、前記眼鏡登録手段は、前記検出部が検出した立体視用眼鏡及び立体視用眼鏡間における優先度を対応付けて前記データベースに登録するようにしてあり、前記画像処理部は、前記照合手段が照合した照合結果に基づいて、前記検出部が検出した立体視用眼鏡のうち最も優先度の高い立体視用眼鏡を装着した観察者及び平面画像の表示選択が対応する場合、立体画像における右目用画像又は左目用画像に係る画像信号を前記表示部に出力するようにしてあり、前記表示部は、前記画像処理部が出力した前記画像信号に係る画像を表示するようにしてあることを特徴とする。
【００１９】
本発明に係る立体画像表示装置は、画像信号に係る立体画像又は平面画像を表示部に表示する立体画像表示装置において、前記表示部に立体画像又は平面画像に係る画像信号を出力する画像処理部と、前記表示部に表示される画像を観察する観察者及び該表示部に表示される立体画像を観察するための立体視用眼鏡を検出する検出部と、前記観察者及び立体視用眼鏡の属性情報を登録するデータベースと、前記検出部が検出した観察者を前記データベースに登録する観察者登録手段と、前記検出部が検出した立体視用眼鏡を前記データベースに登録する眼鏡登録手段と、前記検出部が検出した観察者又は立体視用眼鏡に基づいて、前記データベースに登録された属性情報を照合する照合手段と、該照合手段が照合した照合結果に基づいて、前記表示部が表示する立体画像に対応する同期信号を前記立体視用眼鏡に送信する送信部とを備え、前記観察者登録手段は、前記検出部が検出した観察者、観察者間における優先度及び平面画像又は立体画像の表示選択を対応付けて前記データベースに登録するようにしてあり、前記眼鏡登録手段は、前記検出部が検出した立体視用眼鏡及び立体視用眼鏡間の優先度を対応付けて前記データベースに登録するようにしてあり、前記画像処理部は、前記照合手段が照合した照合結果に基づいて、前記検出部が検出した観察者のうち最も優先度の高い観察者が複数である場合、該観察者のうち最も優先度の高い立体視用眼鏡を着用した観察者及び平面画像の表示選択が対応するとき、立体画像における右目用画像又は左目用画像に係る画像信号を前記表示部に出力するようにしてあり、前記表示部は、前記画像処理部が出力した前記画像信号に係る画像を表示するようにしてあり、前記送信部は、前記データベースに登録された平面画像又は立体画像の表示選択に対応する制御信号が重畳された前記同期信号を前記立体視用眼鏡に送信するようにしてあることを特徴とする。
【００２０】
本発明に係る立体視用眼鏡は、両眼視差技術を用いた３Ｄ画像を見るための立体視用眼鏡であって、右目用画像と左目用画像の表示タイミングに同期して送信される同期信号と、前記同期信に重畳して送信される制御信号を受信し、分離することが可能な受信部と、
前記受信部で受信した同期信号に応じて、右目用シャッターと左目用シャッターの開閉を制御する同期回路とを備えることを特徴とする。
【００２１】
本発明に係る立体視用眼鏡は、前記同期回路は、前記受信部で受信した制御信号により、２Ｄ画像表示の指示された場合には、左目用シャッターと右目用シャッターの開閉タイミングを前記右目用画像又は前記左目用画像のどちらか一方の表示タイミングにする切替手段を有することを特徴とする。
【００２２】
本発明に係る立体視用眼鏡は、前記同期回路は、前記受信部が制御信号を受信している期間は、制御信号を受信する以前の同期信号に同期して、自走することを特徴とする。
【００２３】
本発明に係る立体視用眼鏡は、前記立体視用眼鏡の正面から撮影した際に他の前記立体視用眼鏡と画像判別可能な個別選別用マーク部を具備することを特徴とする。
【００２４】
本発明に係る立体視用眼鏡は、前記個別選別用マーク部は、前記立体視用眼鏡の正面に具備することを特徴とする。
【００２５】
本発明に係る立体視用眼鏡は、前記個別選別用マーク部は、フレームの形状で識別可能な様に前記立体視用眼鏡のフレームの側面部分に具備することを特徴とする。
【００２６】
本発明に係る立体視用眼鏡は、前記立体視用眼鏡の着脱を検出するための着脱検出部を具備し、前記立体視用眼鏡を脱離したことを検知すると、着脱検知以外の立体視用眼鏡の電源をオフにすることを特徴とする。
【００２７】
本発明に係る立体視用眼鏡は、着脱検知部は、鼻当て部分に設けたことを特徴とする。
【００２８】
本発明に係る立体視用眼鏡は、着脱検知部は、フレームの内側の観察者の肌に触れる部分に設けたことを特徴とする。
【００２９】
本発明に係る立体視用眼鏡は、着脱検知部は、前記立体視用眼鏡のフレームが観察者の耳の上に乗る部分に設けたことを特徴とする。
【発明の効果】
【００３０】
本発明に係る立体画像表示装置及び立体視用眼鏡は、３Ｄ用眼鏡をかけている観察者に応じて、３Ｄ画像または２Ｄ画像を自動的に判断して提供するので観察者が切り替え操作を行うことなく、観察者の希望する表示状態を実現することが可能となる。
【図面の簡単な説明】
【００３１】
【図１】本発明の一実施例に係る立体画像表示装置及び立体視用眼鏡の要部構成を示す機能ブロック図である。
【図２】本発明の一実施例に係る立体画像表示装置の概略構成を示す斜視図である。
【図３Ａ】本発明の一実施例に係る立体画像表示装置における眼鏡の個別選別用マーク部を説明するための図である。
【図３Ｂ】本発明の一実施例に係る立体画像表示装置における眼鏡の個別選別用マーク部を説明するための図である。
【図３Ｃ】本発明の一実施例に係る立体画像表示装置における眼鏡の個別選別用マーク部を説明するための図である。
【図３Ｄ】本発明の一実施例に係る立体画像表示装置における眼鏡の個別選別用マーク部を説明するための図である。
【図４】本発明の一実施例に係る立体画像表示装置における同期信号と制御信号の送出タイミングを説明するための図である。
【図５Ａ】本発明の一実施例に係る立体画像表示装置における眼鏡の着脱検知部を説明するための図である。
【図５Ｂ】本発明の一実施例に係る立体画像表示装置における眼鏡の着脱検知部を説明するための図である。
【図５Ｃ】本発明の一実施例に係る立体画像表示装置における眼鏡の着脱検知部を説明するための図である。
【図６】従来の立体画像表示装置の概略構成を示す斜視図である。
【図７】観察者テーブルのレコードレイアウトの一例を示す図である。
【図８】眼鏡テーブルのレコードレイアウトの一例を示す図である。
【図９】選択画面の一例を示す図である。
【図１０】選択画面の一例を示す図である。
【図１１】選択画面の一例を示す図である。
【図１２】選択画面の一例を示す図である。
【図１３】制御部が実行する処理の手順の一例を示すフローチャートである。
【図１４】制御部が実行する処理の手順の一例を示すフローチャートである。
【図１５】観察者テーブルのレコードレイアウトの他例を示す図である。
【図１６】制御部が実行する処理の手順の他例を示すフローチャートである。
【発明を実施するための形態】
【００３２】
以下、本発明の一実施例を図面に基づいて詳述する。
【実施例】
【００３３】
実施例１
図１は、一実施例に係る立体画像表示装置１００の要部構成を示す機能ブロック図と、立体視用眼鏡２００の要部構成を示す機能ブロック図である。
【００３４】
立体画像表示装置１００は、観察者と観察者が装着している立体視用眼鏡２００を特定するための観察者検出部１０１と、観察者及び立体視用眼鏡２００のそれぞれの個別データを格納及び管理する観察者及び立体視用眼鏡データベース１０２と、制御部１０３と、３Ｄ画像の右目用画像と左目用画像の表示タイミングに同期した同期信号や立体視用眼鏡２００の観察モードを３Ｄモードか２Ｄモードかを切り替える制御信号等を立体視用眼鏡２００に送信するための送信部１０５と、放送波を受信するためのチューナー部１０６、外部からの入力信号を接続するための外部入力部１０７とから構成されている。
【００３５】
また、立体視用眼鏡２００は、立体画像表示装置１００からの前記同期信号及び前記制御信号を受信し、分離するための受信部２０１と、この受信部２０１で分離された前記同期信号を受信する同期回路２０２と、この受信部２０１で分離された制御信号を受信する制御部２０３と、３Ｄ画像の右目用画像を見るための右目用シャッター２０４と、３Ｄ画像の左目用画像を見るための左目用シャッター２０５と、観察者がメガネを装着したか脱離したかを検知する着脱検知部２０６とから構成されている。メガネ１、メガネ２〜メガネｎ−１は、立体視用眼鏡２００の構成と同じ構成の立体視用眼鏡である。
【００３６】
立体画像表示装置１００のチューナー部１０６で受信した放送番組は、画像処理部１０８において、３Ｄ画像を含む番組か、２Ｄ画像を含む番組かを検出し、画像処理され、制御部１０３からの送出タイミングに応じて表示部１０９に３Ｄ画像又は２Ｄ画像が表示される。受信している放送番組が２Ｄ画像の場合は、送信部１０５から立体視用眼鏡２００への同期信号の送出は、不要のため、制御部１０３から送信部１０５へ同期信号の送信停止又は停止維持を指示する。また、受信している放送番組が３Ｄ画像の場合は、制御部１０３から送信部１０５へ同期信号の送信開始又は送信維持を指示する。
【００３７】
同様に、表示部１０９へ表示されるソース画像が外部入力部１０７の場合について記載する。チューナー部１０６からの放送番組ではなく、他の映像機器、例えばＢＤ・ＤＶＤプレイヤーやＣＡＴＶチューナー等からのソース画像である場合、画像処理部１０８において、３Ｄ画像を含むソース画像か、２Ｄ画像のみのソース画像かを検出する。３Ｄ画像の場合は、画像処理され、制御部１０３からの送出タイミングに応じて表示部１０９に３Ｄ画像が表示され、送信部１０５への同期信号の送信開始又は送信維持の指示も同様に行われる。２Ｄ画像のみのソース画像の場合は、外部入力部１０７に入力されたソース画像そのものが表示部１０９に表示され、送信部１０５には、同期信号が送信されている場合は送信停止又は停止維持を指示する。
【００３８】
更に、立体画像表示装置１００には、表示部１０９に表示されている３Ｄ画像又は２Ｄ画像を観察している観察者を検出するための観察者検出部１０１を設けてある。観察者検出部１０１は、観察者が装着している立体視用眼鏡２００の検出も行う。観察者検出部１０１は、観察者や立体視用眼鏡２００を画像データとして撮影するためのカメラや撮影した画像データを特定の圧縮画像に符号化するための画像符号化回路や符号化作業用のメモリ等で構成されている。立体画像表示装置１００は、観察者検出部１０１を用いて、本装置を初めて使用する観察者の画像データを撮影し、観察者を個別判定するための画像データを観察者及び立体視用眼鏡データベース１０２に格納する。
【００３９】
図示してはいないが、立体画像表示装置１００には、本装置を使用する観察者と本装置で使用する立体視用眼鏡２００を登録する観察者登録手段と眼鏡登録手段を備えている。例えば、リモコン等に観察者や立体視用眼鏡２００を登録するための登録ボタンを用意しても良い。登録ボタンが押下されると、「観察者登録」と「立体視用眼鏡登録」と「観察者及び立体視用眼鏡の両方登録」と「もどる」との選択画面が表示部１０９に表示される。観察者は立体視用眼鏡２００を装着した状態で立体画像表示装置１００の観察者検出部１０１の前面に行き、登録ボタン押下後、登録項目をリモコンにていずれか選択する。「もどる」ボタンが押されると登録関連の処理が中断され、最初の状態に戻る。「もどる」ボタン以外が押下されると観察者検出部１０１のカメラは、観察者や立体視用眼鏡２００等の被写体をズームアップしながら、適正な大きさの登録用画像データを撮る。
ここで、「観察者登録」が選択されている場合は、観察者検出部１０１では、カメラが捕らえている画像の中の映っている人間を検出し、その人物の全体が表示されるようにズーミングし画像を撮影する。また、顔の部分を抽出し、撮影するようにしても良い。更には、上半身の部分を撮影するようにしても良い。更には、観察者の指定する任意の大きさの画像を撮影しても良い。
また、「立体視用眼鏡登録」が選択されている場合は、観察者検出部１０１では、カメラが捕らえている画像の中の映っている観察者の顔を検出し、観察者に装着されている立体視用眼鏡２００の部分をズームアップしながら、立体視用眼鏡２００の適正な大きさの登録用画像データを撮る。
更に、「観察者及び立体視用眼鏡の両方登録」が選択された場合は、「観察者登録」が選択されている場合と「立体視用眼鏡登録」が選択されている場合の両方の操作が順次行われる。優先順位は無いので、どちらを先に行っても良い。
【００４０】
撮影された画像データは、所定の画像圧縮符号化で圧縮された画像ファイルとして符号化作業用のメモリに暫定的に格納される。符号化作業用のメモリに格納された画像データは、表示部１０９に表示され、観察者及び立体視用眼鏡データベース１０２に前記画像データを登録してよいか観察者に確認する。観察者より承諾があれば、表示部１０９に表示された画像データが、「観察者登録」用画像データ又は「立体視用眼鏡登録」用画像データとして、制御部１０３により、観察者及び立体視用眼鏡データベース１０２の所定の領域に格納される。登録用画像データに使用される画像圧縮符号化方式は、ＪＰＥＧ、ＴＩＦＦ、ＧＩＦ，ＰＤＦ等いずれの符号化方式を用いても良い。
【００４１】
尚、上記では、立体視用眼鏡２００を装着した状態で、観察者と立体視用眼鏡２００を登録する方法を記載したが、観察者と立体視用眼鏡２００を別々に登録しておき、立体画像表示装置１００を観察している観察者を検索する際に、立体視用眼鏡２００を装着していない観察者の画像データと、立体視用眼鏡２００の画像データを合成して、検索用のデータを作成するようにしても良い。
【００４２】
更に、観察者登録手段と眼鏡登録手段には、観察者及び立体視用眼鏡２００の画像データを登録するだけではなく、観察者及び立体視用眼鏡２００の他の個別データについても、観察者が入力できるようにメニュー形式のインタフェースを用意しても良い。例えば、観察者の個別データとしては、観察者の画像データの他に、登録番号Ｋ、モード選択、氏名、年齢、身長、性別、ニックネーム、嗜好ジャンル等の項目が考えられる。立体視用眼鏡２００の個別データとしては、立体視用眼鏡２００の画像データの他に、登録番号Ｇ、マーク位置、シリアル番号、メーカー名、モデル名、型番、カラー、年式等の項目が考えられる。立体視用眼鏡２００の個別データに関しては、観察者がメニュー等を開いて、必要項目のみを入力する様にしても良い。また、個別データを格納した２次元バーコードをシール等にしてメガネの一部に貼ったり、保証書や取扱説明書等に印刷しておいた２次元バーコードを観察者検出部１０１のカメラで取り込んで、解析し、立体視用眼鏡２００の個別データとして観察者及び立体視用眼鏡データベース１０２に取り込むようにしても良い。
【００４３】
以上、ここでは、リモコンに登録ボタンを設けた例を説明したが、リモコンのオプションボタン等が押されると表示部１０９に観察者や立体視用眼鏡を登録するためのメニューが表示されるようにして、項目毎に選択して、データを個別入力できるようにしても良い。
【００４４】
図２は、本発明の実施例に係る立体画像表示装置１００の概略構成を示す斜視図である。観察者Ｈ１〜観察者Ｈ３は、立体画像表示装置１００で３Ｄ画像を観察する際、表示されている３Ｄ画像をそのまま３Ｄ画像として見たいと要望している人である。また、観察者Ｈ４は、３Ｄ画像を３Ｄ画像として認識できないため、表示画像が２Ｄ画像のみを要望している人である。このうち、観察者Ｈ１、観察者Ｈ２、観察者Ｈ４は、大人であり、観察者Ｈ３は、子供である。
【００４５】
続いて、観察者検出部１０１の動作について詳細に記載する。観察者検出部１０１では、表示部１０９に３Ｄ画像が表示されている場合、定期的に観察者の画像を撮影し、撮影されている人物を抽出する。また、表示部１０９に２Ｄ画像が表示されている場合でも、チューナー部１０６或いは外部入力部１０７からのソース画像が３Ｄ画像である場合には定期的に観察者の画像を撮影し、撮影されている人物を抽出する。尚、チューナー部１０６或いは外部入力部１０７からのソース画像自体が２Ｄ画像である場合は、立体視用眼鏡２００を必要としないので、観察者の撮影や人物の抽出作業は行わない。
【００４６】
観察者検出部１０１は、観察者を撮影した画像より抽出した人物が、登録されている立体視用眼鏡２００を装着しているかどうかを検出する。立体視用眼鏡２００の装着を検出した結果、全ての観察者が立体視用眼鏡２００を装着していないと判断した際、観察者検出部１０１は、制御部１０３に対して、立体視用眼鏡２００を使用している観察者がいないこと通知する。制御部１０３は、観察者検出部１０１からの通知を受け、画像処理部１０８に対して２Ｄ画像を表示するように指示する。画像処理部１０８は、制御部１０３からの指示により、表示部１０９に、３Ｄ画像の右目用画像又は左目用画像のどちらか一方を表示するようにする。
また、立体視用眼鏡２００を装着している観察者がいる場合は、観察者検出部１０１は、制御部１０３に対して、立体視用眼鏡２００を使用している観察者がいること通知し、観察者及び立体視用眼鏡データベース１０２から観察者及び立体視用眼鏡２００の照合用の画像データを取り出すように指示する。制御部１０３は、観察者検出部１０１からの指示を受け、画像処理部１０８に対して３Ｄ画像を表示するように指示する。画像処理部１０８は、制御部１０３からの指示により、表示部１０９に、３Ｄ画像の右目用画像又は左目用画像を交互に表示するようにする。
【００４７】
続いて、制御部１０３は、観察者及び立体視用眼鏡データベース１０２に対して登録されている観察者及び立体視用眼鏡２００の照合用の画像データを登録番号Ｋ又は登録番号Ｇ順に取り出す。
【００４８】
まず、立体視用眼鏡２００の照合用画像データを登録番号Ｇ順に取り出し、観察者検出部１０１に送付される。観察者検出部１０１では、制御部１０３からの立体視用眼鏡２００の照合用画像データと観察者検出部１０１のカメラで撮影した立体視用眼鏡２００の画像データを比較し、登録番号Ｇのどの立体視用眼鏡２００か特定する。
【００４９】
尚、立体視用眼鏡２００には、個別判定を行うため、予め個別選別用マーク部を取り付けたものが用意され、登録されている。図２に記載してあるように観察者検出部１０１のカメラは、立体画像表示装置１００の上部の位置に設置され、表示部１０９を見ている観察者Ｈ１から観察者Ｈ４を正面から撮影できるようになっている。それぞれの観察者Ｈ１から観察者Ｈ４が装着しているメガネ１からメガネ４も同時に正面から撮影できるようになっている。
【００５０】
図３Ａ〜Ｄは、本発明の実施例に係る立体画像表示装置１００における眼鏡の個別選別用マーク部ＭＫを説明するための図である。図３Ａには、個別選別用マーク部ＭＫとして、メガネのセンター部分に図示されているように選別用のマークを貼り付ける実施例が記載されている。また、図３Ｂには、個別選別用マーク部ＭＫとして、メガネのレンズ周辺部分に選別用のマークを貼り付ける実施例が記載されている。また、図３Ｃには、個別選別用マーク部ＭＫとして、メガネのフレーム部分を正面から見た時にフレームの形状で識別できるようにフレームの側面に三角形のマークを貼り付ける実施例が記載されている。また、図３Ｄには、個別選別用マーク部ＭＫとして、メガネのフレーム部分を正面から見た時にフレームの形状で識別できるようにフレームの側面に四角形のマークを貼り付ける実施例が記載されている。
【００５１】
観察者検出部１０１では、登録されている立体視用眼鏡２００と比較した結果、照合したものがあれば、立体視用眼鏡２００の登録番号Ｇを作業用メモリに格納する。
【００５２】
次に、観察者の照合用画像データを登録番号Ｋ順に取り出し、観察者検出部１０１に送付される。観察者検出部１０１では、制御部１０３からの観察者の照合用画像データと観察者検出部１０１のカメラで撮影した観察者の画像データを比較し、登録番号Ｋのどの観察者か特定する。
【００５３】
観察者が複数いる場合は、上記の立体視用眼鏡２００の特定と観察者の特定の作業を繰り返し行い、観察者の登録番号Ｋと立体視用眼鏡２００の登録番号Ｇの組み合わせを作業用メモリに格納していく。全ての観察者の特定処理が終わったら、観察者検出部１０１は、作業用メモリに格納しておいた観察者の登録番号Ｋと立体視用眼鏡２００の登録番号Ｇの組み合わせの情報を制御部１０３に引き渡す。制御部１０３は観察者検出部１０１から引き受けた観察者の登録番号Ｋと立体視用眼鏡２００の登録番号Ｇの組み合わせの情報を元に、観察者及び立体視用眼鏡データベース１０２から特定した観察者の登録番号Ｋに応じたモード選択に関する個別データを呼び出し、そのモード選択が、３Ｄモードが設定されているのか２Ｄモードが設定されているのかを判断して、送信部１０５より、該当する立体視用眼鏡２００に対して制御信号を送信する。制御信号は同期信号に重畳して送信される。
【００５４】
図４は、本発明の実施例に係る立体画像表示装置１００における同期信号と制御信号の送出タイミングを説明するための図である。
図４（ａ）は、表示部１０９に表示される３Ｄ画像の表示用画像信号の表示タイミングを示している。表示部１０９に右目用画像信号と左目用画像信号が交互に表示される。図４（ｂ）は表示用画像信号に同期した同期信号であり、右用画像信号が表示部１０９に表示されている時にはＨ、左目用画像信号が表示されている場合にはＬとなる。制御信号は、この同期信号に重畳して送信される。ここに表示した例は、右目画像と左目画像が表示されている１サイクルの区間に制御信号送出区間を設けたものである。この区間の長さは、１サイクルによらず複数のサイクルの区間で送出しても良い。図４（ｃ）は同期回路２０２から右目用シャッター２０４に送信されるシャッターの開閉を制御するための信号である。Ｈの時、シャッターが開き、観察者の右目では右目用の画像を見ることができる。Ｌの時は、シャッターが閉じ、観察者の右目では左目用の画像は見ることができない。図４（ｄ）は同期回路２０２から左目用シャッター２０５に送信されるシャッターの開閉を制御するための信号である。Ｈの時、シャッターが開き、観察者の左目では左目用の画像を見ることができる。Ｌの時は、シャッターが閉じ、観察者の左目では右目用の画像は見ることができない。
【００５５】
また、立体視用眼鏡２００の同期回路２０２は、制御部２０３からの制御信号により、３Ｄ画像を見るためのモードか、２Ｄ画像を見るためのモードかのモード切替が行われる。
３Ｄ画像を見るためのモードが設定されていれば、立体視用眼鏡２００の同期回路２０２は、受信部２０１で受信した同期信号に同期して、右目画像を見るための右目用シャッター２０４と左目用画像を見るための左目用シャッター２０５の開閉タイミングの制御を行っている。同期信号を受信している間は、受信した同期信号に合わせて、右目用シャッター２０４と左目用シャッター２０５の開閉を行い、同期信号に制御信号が含まれてくる制御信号送出区間の間は、同期信号が入手できないため、制御信号送出区間前に受信している同期信号を維持し、同期信号が自走するように構成されている。
【００５６】
尚、観察者及び立体視用眼鏡データベース１０２に登録されていない観察者や立体視用眼鏡２００を検出した場合、表示部１０９に観察者検出部１０１のカメラで撮影した観察者及び立体視用眼鏡２００の画像データを表示して、登録を促すように『未登録です、すぐに登録願います』等のメッセージを観察者及び立体視用眼鏡２００の画像データと併記する様にしても良い。未登録者への報知は、表示部１０９の一部にアイコン等を表示する様にしても良い。また、未登録者・未登録の立体視用眼鏡２００への指示は何も行わないように、しても良い。
【００５７】
図５Ａ〜Ｃは、本発明の実施例に係る立体視用眼鏡２００における眼鏡装着及び離脱時の着脱検知部２０６を説明するための図である。着脱検知部２０６の立体視用眼鏡２００の３つの部分にそれぞれ取り付けた場合の例を示している。図５Ａは着脱検知部２０６が鼻当ての部分にある場合である。この場合、小さなプッシュスイッチ、或いは、左右の鼻当ての部分に電流が流れるかどうかを検知し、観察者が立体視用眼鏡２００を装着したのか離脱したのかを判定する。図５Ｂは、着脱検知部２０６が立体視用眼鏡２００のフレームの頭部の肌に触れる部分にある場合で、頭部の肌の静電容量を検知し、観察者が立体視用眼鏡２００を装着したのか離脱したのかを判定する。図５Ｃは、着脱検知部２０６が立体視用眼鏡２００のフレームの耳が当たる部分、即ちフレームが耳の上に乗る部分にある場合で、この場合、小さなプッシュスイッチ、或いは、静電容量を検知し、着脱を検知するセンサーを設けて、観察者が立体視用眼鏡２００を装着したのか離脱したのかを判定する。
【００５８】
着脱検知部２０６を図５Ａから図５Ｃのように構成することにより、観察者が立体視用眼鏡２００を装着すると、着脱検知部２０６が装着されたことを検出し、立体視用眼鏡２００の各回路への電源供給が行われる。立体視用眼鏡２００は、初期設定されて、３Ｄ画像を見ることができる３Ｄモードで立ち上げられる。また、離脱が検出されると立体視用眼鏡２００の各回路への電源供給が停止される。
【００５９】
本発明の立体画像表示装置１００で３Ｄ画像を表示する際、観察者Ｈ１〜Ｈ４は、本発明の立体視用眼鏡２００で構成されるメガネ１〜４をそれぞれ装着した場合、観察者Ｈ１〜Ｈ３は、個別データに応じて、３Ｄ画像をそのまま３Ｄ画像として見ることが可能になる。また、観察者Ｈ４は、個別データに応じて、メガネ４を装着して、３Ｄ画像を２Ｄ画像として見ることが可能になる。
【００６０】
このように３Ｄ画像を観察する観察者の要望に応じて、立体画像表示装置１００から立体視用眼鏡２００に対して自動的に３Ｄモード／２Ｄモードの切り替え指示が送信されるので、３Ｄ画像を見ることができない人や見たくない人は、他の観察者が３Ｄ画像を見ていても、自分自身だけ２Ｄ画像を見ることができる。そして、３Ｄ画像を見ることができない人や見たくない人は、３Ｄ画像が表示されるたびに、立体視用眼鏡２００をかけた後に２Ｄ表示の選択をその都度する必要がなく、快適に２Ｄ画像を見ることができる。また、本発明の立体画像表示装置１００で３Ｄ画像を見ようとしている観察者が、全員が立体視用眼鏡２００を着用していない場合、また、立体視用眼鏡２００を着用している全員が２Ｄ画像を要望する観察者である場合は、立体画像表示装置１００は、３Ｄ画像の右用目用画像又は左目用画像のどちらか一方を表示部１０９に出力するので、観察者は、立体視用眼鏡２００を着用せずに快適に２Ｄ画像を観察することが可能であり、大変使い勝手が良い。
【００６１】
以上、実施例は、全ての点で例示であって、必ずしもこれらに限定されるものではない。例えば、本実施の形態では、立体画像表示装置及び立体視用眼鏡について例示したが、３Ｄの画像信号と同期信号を出力し、この同期信号を受信し、立体視できる眼鏡を用いて観察者に立体画像を提供することができれば良く、立体画像表示装置及び立体視用眼鏡に限定されるものではない。本発明は、立体画像表示装置及び立体視用眼鏡以外にも、３Ｄテレビ、３Ｄプロジェクター、デジタルビデオレコーダー、携帯型ムービープレイヤー、携帯電話、カーナビゲーションシステム、携帯型又は据置型ＢＤ・ＤＶＤプレイヤー、ＰＣ等の３Ｄ画像信号を出力又は表示可能な機器について広く適用できる。
【００６２】
実施例２
実施例２は、複数の観察者が立体画像表示装置１００により２Ｄ画像又は３Ｄ画像を見る場合、複数の観察者又は複数の立体視用眼鏡２００に優先度を設定する実施例に関する。立体画像表示装置１００は、優先度がより高い観察者又は優先度がより高い立体視用眼鏡２００を特定し、特定した観察者又は特定した立体視用眼鏡２００を装着した観察者に対応するモードの画像を表示部１０９に表示する。
【００６３】
記憶手段である観察者及び立体視用眼鏡データベース（データベース）１０２の所定領域には、観察者テーブル及び眼鏡テーブルが格納されている。観察者テーブルは、観察者の属性を管理するテーブルである。眼鏡テーブルは、立体視用眼鏡２００の属性を管理するテーブルである。以下、観察者テーブル及び眼鏡テーブルを詳細に説明する。
【００６４】
図７は、観察者テーブル１Ｔのレコードレイアウトの一例を示す図である。観察者テーブル１Ｔは、登録番号Ｋ、観察者画像、モード、氏名及び優先度の各列を含む。登録番号Ｋは、立体画像表示装置１００の表示部１０９に表示される画像を見る観察者を識別する番号である。登録番号Ｋは、観察者テーブル１Ｔの主キーである。
【００６５】
観察者画像は、観察者検出部（検出部）１０１のカメラが撮影した観察者の画像である。尚、観察者の画像データ自体は観察者及び立体視用眼鏡データベース１０２に記憶されていれば良く、必ずしも観察者テーブル１Ｔに格納されていなくても良い。かかる場合、観察者画像列には、観察者の画像データに関するアドレス又はパスが格納される。
【００６６】
モードは、チューナー部１０６が受信した放送番組の画像又は外部入力部１０７が受け付けたソース画像が画像処理部１０８により３Ｄ画像であると検出された場合、観察者がその画像を２Ｄ又は３Ｄのいずれの画像として見るかを選択する情報である。例えば、観察者が３Ｄ画像を２Ｄ画像として見る場合、モードには２Ｄという文字列が格納される。一方、観察者が３Ｄ画像を３Ｄ画像のまま見る場合、モードには３Ｄという文字列が格納される。ここで、３Ｄ画像を２Ｄ画像として見るとは、３Ｄ画像に係る右目用画像又は左目用画像を見ることである。
氏名は、観察者の名前である。
【００６７】
優先度は、観察者テーブル１Ｔに複数の観察者を登録する場合、モードに関する観察者間の優先順位である。観察者検出部１０１が複数の観察者を検出した場合、立体画像表示装置１００は優先度がより高い観察者のモードに応じた画像を表示部１０９に表示する。ここで、優先度がより高い観察者は、観察者検出部１０１が検出した複数の観察者の中では、最も優先度が高い観察者である。優先度は、例えば数字であり、権限の強い観察者ほど小さい数字を優先度に格納する。優先度は、異なる観察者に同一の値が設定されることはない。
尚、権限の強い観察者ほど大きい数字を優先度に格納しても良い。
【００６８】
尚、観察者テーブル１Ｔは、年齢、身長、性別、ニックネーム、嗜好ジャンル等の各列を更に含んでも良い。
【００６９】
図８は、眼鏡テーブル２Ｔのレコードレイアウトの一例を示す図である。眼鏡テーブル２Ｔは、登録番号Ｇ、眼鏡画像、マーク位置、シリアル番号及び優先度の各列を含む。登録番号Ｇは、立体視用眼鏡２００を識別する番号である。登録番号Ｇは、眼鏡テーブル２Ｔの主キーである。
【００７０】
眼鏡画像は、観察者検出部１０１のカメラが撮影した立体視用眼鏡２００の画像である。尚、立体視用眼鏡２００の画像データ自体は観察者及び立体視用眼鏡データベース１０２に記憶されていれば良く、必ずしも眼鏡テーブル２Ｔに格納されていなくても良い。かかる場合、眼鏡画像列には、立体視用眼鏡２００の画像データに関するアドレス又はパスが格納される。
【００７１】
マーク位置は、個別選別用マーク部ＭＫが立体視用眼鏡２００に貼り付けられる位置である。マーク位置は、例えば図３Ａ〜Ｄに示した立体視用眼鏡２００における様々な位置が格納される。
シリアル番号は、例えば立体視用眼鏡２００の製造時に発番されたシリアル番号である。
【００７２】
優先度は、眼鏡テーブル２Ｔに複数の立体視用眼鏡２００を登録する場合のモード選択に関する優先順位である。観察者検出部１０１が複数の立体視用眼鏡２００を検出した場合、立体画像表示装置１００は優先度がより高い立体視用眼鏡２００を装着している観察者のモードに応じた画像を表示部１０９に表示する。ここで、優先度がより高い立体視用眼鏡２００は、観察者検出部１０１が検出した複数の立体視用眼鏡２００の中では、最も優先度が高い立体視用眼鏡２００である。優先度は、例えば数字であり、優先度の高い立体視用眼鏡２００ほど小さい数字を優先度に格納する。優先度は、異なる立体視用眼鏡２００に同一の値が設定されることはない。
尚、優先度の高い立体視用眼鏡２００ほど大きい数字を優先度に格納しても良い。
【００７３】
尚、眼鏡テーブル２Ｔは、メーカー名、モデル名、型番、カラー、年式等の各列を更に含んでも良い。
【００７４】
図９は、選択画面３ｆの一例を示す図である。選択画面３ｆは、観察者テーブル１Ｔ及び眼鏡テーブル２Ｔに夫々観察者及び立体視用眼鏡２００の属性情報を登録するためのユーザインターフェースである。制御部（観察者登録手段、眼鏡登録手段、照合手段、判定手段）１０３は、リモコン（図示せず）の登録ボタンが押下された場合、選択画面３ｆを表示部１０９に表示する。
選択画面３ｆは、観察者登録ボタン３１ｂ、立体視用眼鏡登録ボタン３２ｂ、観察者及び立体視用眼鏡の両方登録ボタン３３ｂ及び戻るボタン３４ｂを含む。観察者は、リモコンの各種キーを操作することにより、選択画面３ｆに表示された各ボタンを選択し、選択した各ボタンを押下する。
【００７５】
制御部１０３は、戻るボタン３４ｂが押下された場合、観察者テーブル１Ｔ又は眼鏡テーブル２Ｔに対する観察者又は立体視用眼鏡２００の登録処理を中断し、初期状態の画像を表示部１０９に表示する。制御部１０３は、戻るボタン３４ｂ以外のボタンが押下された場合、観察者検出部１０１に対してカメラで観察者、立体視用眼鏡２００等の被写体をズームアップし、適正な大きさの登録用画像を撮影する指示を送信する。
【００７６】
制御部１０３は、観察者登録ボタン３１ｂが押下された場合、観察者検出部１０１に対して、カメラが捕らえている画像から観察者を検出し、観察者全体が画面に表示されるようにズーミングした画像を撮影するように指示する。その際、観察者検出部１０１は、カメラが捕らえている画像から観察者の顔部分を抽出し、抽出した観察者の顔部分に対応する画像を撮影しても良い。更には、観察者検出部１０１は、観察者の上半身の部分を撮影するようにしても良い。或いは、観察者検出部１０１は、観察者が指定する任意の大きさの画像を撮影しても良い。
【００７７】
図１０は、選択画面３ｆの一例を示す図である。図１０は、観察者テーブル１Ｔ又は眼鏡テーブル２Ｔへのレコード登録処理へ移行するか否かを観察者に確認する確認画面でもある。この確認画面は、画面上部の観察者画面３１ｆ、画面下部のはいボタン３５ｂ及びいいえボタン３６ｂを含む。観察者画面３１ｆは、観察者検出部１０１のカメラが撮影した観察者の画像を表示する子画面である。制御部１０３は、いいえボタン３６ｂが押下された場合、前画面である図９の選択画面３ｆを表示部１０９に表示する。制御部１０３は、はいボタン３５ｂが押下された場合、次の画面に遷移する。
【００７８】
図１１は、選択画面３ｆの一例を示す図である。制御部１０３は、図１０の選択画面において、はいボタン３５ｂが押下された場合、図１１の選択画面３ｆを表示部１０９に表示する。図１１は、観察者テーブル１Ｔへ登録するレコードの情報を入力する入力画面でもある。この入力画面は、画面右上の観察者画面３２ｆ、画面左部のテキストボックス及び画面右下の登録ボタン３７ｂを含む。画面左部のテキストボックスは、登録番号テキストボックス３１ｔ、モードテキストボックス３２ｔ、氏名テキストボックス３３ｔ及び優先度テキストボックス３４ｔを含む。
【００７９】
観察者画面３２ｆは、観察者検出部１０１のカメラが撮影した観察者の画像を表示する子画面である。観察者画面３２ｆに表示される観察者の画像は、図１０の観察者画面３１ｆに表示される観察者の画像と同じでも良いし、異なる画像でも良い。例えば、観察者画面３２ｆに表示される画像は、観察者画面３１ｆに表示される観察者の画像の顔部分を更に拡大した画像でも良い。観察者画面３２ｆに表示される観察者の画像は、観察者テーブル１Ｔの観察者画像に格納される画像である。
【００８０】
登録番号テキストボックス３１ｔ、モードテキストボックス３２ｔ、氏名テキストボックス３３ｔ及び優先度テキストボックス３４ｔは、夫々観察者テーブル１Ｔの登録番号Ｋ、モード、氏名及び優先度に対応する情報を入力するための画面コントロールである。観察者は、リモコンからこれらのテキストボックスに必要な情報を入力する。尚、入力情報はテキストボックスではなく、選択入力が可能なリスト形式のリストボックス、コンボボックス等でも良い。
【００８１】
制御部１０３は、登録ボタン３７ｂが押下された場合、図１１の選択画面３ｆに表示された観察者の画像及び各種属性を観察者テーブル１Ｔに登録する。
【００８２】
制御部１０３は、図９の立体視用眼鏡登録ボタン３２ｂが押下された場合、図１０の選択画面３ｆを表示部１０９に表示する。制御部１０３は、観察者検出部１０１に対して、カメラが捕らえている画像に映っている観察者の顔を検出させ、立体視用眼鏡２００を装着した観察者の顔部分の画像を図１０の観察者画面３１ｆに表示する。
【００８３】
図１２は、選択画面３ｆの一例を示す図である。制御部１０３は、図９の立体視用眼鏡登録ボタン３２ｂが押下され、かつ図１０のはいボタン３５ｂが押下された場合、図１２の選択画面３ｆを表示部１０９に表示する。図１２は、眼鏡テーブル２Ｔへ登録するレコードの情報を入力する入力画面でもある。この入力画面は、画面右上の眼鏡画面３３ｆ、画面左部のテキストボックス及び画面右下の登録ボタン３８ｂを含む。画面左部のテキストボックスは、登録番号テキストボックス３５ｔ、マーク位置テキストボックス３６ｔ、シリアル番号テキストボックス３７ｔ及び優先度テキストボックス３８ｔを含む。
【００８４】
眼鏡画面３３ｆは、観察者検出部１０１のカメラが撮影した立体視用眼鏡２００を表示する子画面である。制御部１０３は、観察者検出部１０１に対して、カメラが捕らえている観察者が装着している立体視用眼鏡２００の部分をズームアップするように指示する。制御部１０３は、ズームアップした適正な大きさの立体視用眼鏡２００の画像を眼鏡画面３３ｆに表示する。眼鏡画面３３ｆに表示される立体視用眼鏡２００の画像は、眼鏡テーブル２Ｔの眼鏡画像に格納される画像である。
尚、立体視用眼鏡２００の画像は、観察者とは別に撮影されても良い。かかる場合、制御部１０３は、リモコンからの操作信号に基づき、観察者検出部１０１に立体視用眼鏡２００単体を撮影するように指示し、観察者検出部１０１のカメラが撮影した立体視用眼鏡２００の画像を眼鏡画面３３ｆに表示する。
【００８５】
登録番号テキストボックス３５ｔ及びマーク位置テキストボックス３６ｔは、夫々眼鏡テーブル２Ｔの登録番号Ｇ及びマーク位置に対応する情報を入力するための画面コントロールである。シリアル番号テキストボックス３７ｔ及び優先度テキストボックス３８ｔは、夫々眼鏡テーブル２Ｔのシリアル番号及び優先度に対応する情報を入力するための画面コントロールである。観察者は、リモコンからこれらのテキストボックスに必要な情報を入力する。尚、入力情報はテキストボックスではなく、選択入力が可能なリスト形式のリストボックス、コンボボックス等でも良い。
【００８６】
制御部１０３は、登録ボタン３８ｂが押下された場合、図１２の選択画面３ｆに表示された立体視用眼鏡２００の画像及び各種属性を眼鏡テーブル２Ｔに登録する。
【００８７】
制御部１０３は、図９の観察者及び立体視用眼鏡の両方登録ボタン３３ｂが押下された場合、図９の観察者登録ボタン３１ｂと立体視用眼鏡登録ボタン３３ｂとが押下された場合の両方の処理を順次実行する。その際、制御部１０３は、観察者登録ボタン３１ｂが押下された場合の処理と、立体視用眼鏡登録ボタン３３ｂが押下された場合の処理とのどちらを先に実行しても良い。
【００８８】
次に、立体画像表示装置１００の動作について説明する。はじめに、優先度がより高い観察者を特定し、特定した観察者に対応するモードの画像を表示部１０９に表示する動作について説明する。次に、優先度がより高い立体視用眼鏡２００を特定し、特定した立体視用眼鏡２００を装着している観察者に対応するモードの画像を表示部１０９に表示する動作について説明する。
【００８９】
図１３は、制御部１０３が実行する処理の手順の一例を示すフローチャートである。図１３の処理は、優先度に基づいて観察者を特定することにより、当該観察者が選択したモードを特定する。
制御部１０３は、チューナー部１０６が受信した放送番組の画像又は外部入力部１０７が受け付けたソース画像が３Ｄ画像である場合、観察者検出部１０１に定期的に複数の観察者を撮影し、複数の観察者を撮影した画像から抽出させる（ステップＳ１０１）。制御部１０３は、抽出された複数の観察者各人の画像に基づいて、観察者テーブル１Ｔから観察者画像に対応する観察者の優先度及びモードを検索する（ステップＳ１０２）。
【００９０】
ステップＳ１０２において、制御部１０３は、観察者検出部１０１が撮影した観察者の画像と、観察者テーブル１Ｔの観察者画像列に格納された観察者の画像とから、両画像に映っている観察者が同一か否かを照合する。制御部１０３は、この照合の結果、観察者が同一である場合、観察者検出部１０１が撮影した観察者に対応する観察者テーブル１Ｔのレコードから観察者の優先度及びモードを抽出する。
【００９１】
制御部１０３は、抽出された複数の観察者のうち、最も優先度の高い観察者を特定する（ステップＳ１０３）。制御部１０３は、特定した最も優先度の高い観察者が立体視用眼鏡２００を装着しているか否かを判定する（ステップＳ１０４）。制御部１０３は、特定した最も優先度の高い観察者が立体視用眼鏡２００を装着していないと判定した場合（ステップＳ１０４：ＮＯ）、ステップＳ１０６に処理を進める。
【００９２】
制御部１０３は、特定した最も優先度の高い観察者が立体視用眼鏡２００を装着していると判定した場合（ステップＳ１０４：ＹＥＳ）、特定した最も優先度の高い観察者のモードが２Ｄか否かを判定する（ステップＳ１０５）。制御部１０３は、特定した最も優先度の高い観察者のモードが２Ｄであると判定した場合（ステップＳ１０５：ＹＥＳ）、画像処理部１０８に対して、３Ｄ画像における右目用画像又は左目用画像に係る画像信号のどちらか一方を表示部１０９に出力するように指示する（ステップＳ１０６）。また、制御部１０３は、立体視用眼鏡２００に送信する制御信号に２Ｄモードであることを設定する（ステップＳ１０７）。制御部１０３は、設定した制御信号を同期信号に重畳し、重畳した同期信号を送信部１０５に出力し（ステップＳ１０８）、処理を終了する。
【００９３】
制御部１０３は、特定した最も優先度の高い観察者のモードが２Ｄでないと判定した場合（ステップＳ１０５：ＮＯ）、画像処理部１０８に対して、３Ｄ画像に係る画像信号を表示部１０９に出力するように指示する（ステップＳ１０９）。また、制御部１０３は、立体視用眼鏡２００に送信する制御信号に３Ｄモードであることを設定する（ステップＳ１１０）。制御部１０３は、設定した制御信号を同期信号に重畳し、重畳した同期信号を送信部１０５に出力し（ステップＳ１１１）、処理を終了する。
【００９４】
尚、上述のフローにおいて、処理の主体は制御部１０３であるが、処理の主体は観察者検出部１０１であっても良い。
【００９５】
立体画像表示装置１００の送信部１０５は、制御部から制御信号が重畳された同期信号を受け付け、受け付けた同期信号を立体視用眼鏡２００に送信する。
立体視用眼鏡２００の受信部２０１は、制御信号が重畳された同期信号を送信部１０５から受信し、同期信号及び制御信号を分離する。受信部２０１は、分離した制御信号を制御部２０３に送信し、分離した同期信号を同期回路２０２に送信する。制御部２０３は、受信した制御信号が２Ｄモードである場合、同期回路２０２に対して、右目用画像又は左目用画像のどちらか一方の同期信号に同期して、右目用シャッター２０４及び左目用シャッター２０５を開くように指示する。或いは、制御部２０３は、制御信号が２Ｄモードである場合、立体視用眼鏡２００を電源がオフの状態にしても良い。
【００９６】
他方、制御部２０３は、制御信号が３Ｄモードである場合、同期回路２０２に対して、同期信号に同期して、右目用シャッター２０４及び左目用シャッター２０５を交互に開閉するように指示する。
【００９７】
図１４は、制御部１０３が実行する処理の手順の一例を示すフローチャートである。図１４の処理は、優先度に基づいて立体視用眼鏡２００を特定することにより、当該立体視用眼鏡２００を装着している観察者及び当該観察者が選択したモードを特定する。尚、図１４の処理では、観察者の全員が立体視用眼鏡２００を装着していることを前提としている。
制御部１０３は、チューナー部１０６が受信した放送番組の画像又は外部入力部１０７が受け付けたソース画像が３Ｄ画像である場合、観察者検出部１０１に定期的に複数の観察者を撮影し、複数の観察者を撮影した画像から抽出させる（ステップＳ２０１）。
【００９８】
制御部１０３は、抽出された複数の観察者の画像から、観察者が装着している立体視用眼鏡２００の画像を抽出する（ステップＳ２０２）。制御部１０３は、抽出した立体視用眼鏡２００の画像に基づいて、眼鏡テーブル２Ｔから優先度を検索する（ステップＳ２０３）。
【００９９】
ステップＳ２０３において、制御部１０３は観察者検出部１０１が撮影した画像から抽出した立体視用眼鏡２００と、眼鏡テーブル２Ｔの眼鏡画像列に格納されている立体視用眼鏡２００とが同一か否かを照合する。制御部１０３は、この照合の結果、両画像に映っている立体視用眼鏡２００が同一である場合、観察者検出部１０１が撮影した立体視用眼鏡２００に対応する眼鏡テーブル２Ｔのレコードから立体視用眼鏡２００の優先度を抽出する。
尚、ステップＳ２０３において、制御部１０３は、眼鏡テーブル２Ｔのマーク位置を、上述の照合のために利用してもよい良い。立体視用眼鏡２００における個別選別用マーク部ＭＫの位置が予め判明している場合、制御部１０３は抽出した立体視用眼鏡２００の画像及び眼鏡テーブル２Ｔの眼鏡画像の照合をより高速に実行することができる。
【０１００】
制御部１０３は、検索された複数の立体視用眼鏡２００のうち、最も優先度の高い立体視用眼鏡２００を特定する（ステップＳ２０４）。制御部１０３は、特定した立体視用眼鏡２００を装着している観察者を、撮影した画像に基づいて観察者テーブル１Ｔから検索することにより、当該観察者及びそのモードを特定する（ステップＳ２０５）。
ステップＳ２０６以降の処理は、図１３に示したステップＳ１０５以降の処理と同一であり、その説明を省略する。
【０１０１】
尚、上述のフローにおいて、処理の主体は制御部１０３であるが、処理の主体は観察者検出部１０１であっても良い。
【０１０２】
尚、観察者テーブル１Ｔに観察者に応じた重みの列を追加してもよい。当該重みは、例えば観察者の年齢、観察者の番組視聴時間等である。観察者の属性を観察者テーブル１Ｔに登録する際、観察者に応じた重みを登録する。そして、観察者を特定する場合、当該重みを付加した優先度を新たな優先度とし、新たな優先度により観察者を特定する。立体画像表示装置１００は、新たな優先度により特定した観察者に対応するモードに基づいて、表示部１０９に表示する画像を２Ｄ画像及び３Ｄ画像の間で切り替えても良い。
【０１０３】
立体画像表示装置１００によれば、優先度の高い観察者が立体視用眼鏡２００を装着している場合、優先度の高い観察者が選択したモードの画像を表示部１０９に表示する。これにより、複数の観察者の間で選択されたモードが異なる場合、立体画像表示装置１００は、２Ｄ画像又は３Ｄ画像のうちいずれかを自動的に表示部１０９に表示することができる。
同様に、立体画像表示装置１００によれば、権限の高い人が優先度の高い立体視用眼鏡２００を装着することにより、上述と同様の効果を奏することができる。
【０１０４】
立体画像表示装置１００によれば、複数の観察者の間で、チャンネル争いに似た２Ｄ画像表示及び３Ｄ画像表示に関する争いを防止することができる。
決定権を持つ観察者の優先度を高く設定することにより、立体映像表示装置１００は自動的に優先度の高い人に対応するモードの画像を表示することで、表示モードの争いを防止する。また、例えば親子からなる複数の観察者が画像を見る場合、親の優先度を高く設定することにより、又は親が優先度の高い立体視用眼鏡２００を装着することにより、立体画像表示装置１００は子供が長時間３Ｄ画像を見てしまうことを防止することができる。
【０１０５】
立体画像表示装置１００によれば、優先度の高い観察者が立体視用眼鏡２００を装着していない場合、３Ｄ画像の右目用画像又は左目用画像のどちらか一方を表示部１０９に表示する。これにより、立体画像表示装置１００は、観察者が複数人である場合でも、権限の強い観察者の意向に応じた２Ｄ画像を表示部１０９に表示することができる。
【０１０６】
実施例２は以上の如きであり、その他は実施例１と同様であるので、対応する部分には同一の参照番号を付してその詳細な説明を省略する。
【０１０７】
実施例３
実施例３は、複数の観察者に設定した優先度が同一である場合、それらの観察者のうち優先度がより高い立体視用眼鏡２００を装着している観察者を特定し、特定した観察者に対応するモードの画像を表示部１０９に表示する実施例に関する。
【０１０８】
図１５は、観察者テーブル１Ｔのレコードレイアウトの他例を示す図である。実施例３の観察者テーブル１Ｔの優先度には、異なる観察者であっても同一の優先度を格納することができる。例えば、図１５の登録番号Ｋ＝１の太郎の優先度と、登録番号Ｋ＝４の花子の優先度とは、共に１である。他方、実施例３の眼鏡テーブル２Ｔは、図８の眼鏡テーブル２Ｔと同様に、立体視用眼鏡２００が異なる場合、異なる優先度が設定される（図８参照）。
【０１０９】
いま、図１５の観察者テーブル１Ｔに登録された登録番号Ｋ＝1、２、３、４の観察者が一緒に立体画像表示装置１００の表示部１０９に表示される画像を見るものとする。また、登録番号Ｋ＝1、２、３、４の観察者は、夫々図８の登録番号Ｇ＝１、２、３、４の立体視用眼鏡２００を装着しているものとする。
登録番号Ｋ＝１の太郎と登録番号Ｋ＝４の花子とは、優先度が共に１である。しかし、太郎が装着している登録番号Ｇ＝１の立体視用眼鏡２００の優先度は１であるのに対し、花子が装着している登録番号Ｇ＝４の立体視用眼鏡２００の優先度は４である。そのため、太郎が装着している立体視用眼鏡２００の方が、花子が装着している立体視用眼鏡２００よりも優先度が高い。
ところで、太郎のモードは２Ｄであり、花子のモードは３Ｄである（図１５参照）。そのため、立体画像表示装置１００は、チューナー部１０６が選局した放送番組の画像又は外部入力部１０７が受け付けたソース画像が３Ｄ画像である場合、太郎が予め選択した２Ｄモードの画像を強制的に表示部１０９に表示する。ここでの２Ｄモードの画像とは、３Ｄ画像に係る右目用画像又は左目用画像である。
【０１１０】
図１６は、制御部１０３が実行する処理の手順の他例を示すフローチャートである。
制御部１０３は、チューナー部１０６が受信した放送番組の画像又は外部入力部１０７が受け付けたソース画像が３Ｄ画像である場合、観察者検出部１０１に定期的に複数の観察者を撮影し、複数の観察者を撮影した画像から抽出させる（ステップＳ３０１）。制御部１０３は、抽出された複数の観察者各人の画像に基づいて、観察者テーブル１Ｔから観察者画像に対応する観察者の優先度及びモードを検索する（ステップＳ３０２）。
【０１１１】
制御部１０３は、抽出された複数の観察者のうち、最も優先度の高い観察者を特定する（ステップＳ３０３）。制御部１０３は、ステップＳ３０３で特定した観察者が複数人か否かを判定する（ステップＳ３０４）。制御部１０３は、ステップＳ３０３で特定した観察者が複数人でないと判定した場合（ステップＳ３０４：ＮＯ）、特定した単数の観察者に対応するモードを、表示部１０９に表示する画像のモードに決定する（ステップＳ３０５）。その後、制御部１０３は、ステップＳ３１０に処理を進める。
【０１１２】
制御部１０３は、ステップＳ３０３で特定した観察者が複数人であると判定した場合（ステップＳ３０４：ＹＥＳ）、特定した複数人の観察者の画像から各観察者が装着している立体視用眼鏡２００の画像を抽出する（ステップＳ３０６）。制御部１０３は、抽出した立体視用眼鏡２００の各画像に基づいて、眼鏡テーブル２Ｔから優先度を検索する（ステップＳ３０７）。
【０１１３】
制御部１０３は、検索した優先度が最も高い立体視用眼鏡２００を特定する（ステップＳ３０８）。制御部１０３は、特定した立体視用眼鏡２００を装着している観察者のモードを、表示部１０９に表示する画像のモードに決定する（ステップＳ３０９）。
ステップＳ３１０以降の処理は、図１３に示したステップＳ１０５以降の処理と同一であり、その説明を省略する。また、図１６におけるステップＳ３１０以降のフローを省略する。
【０１１４】
尚、上述のフローにおいて、処理の主体は制御部１０３であるが、処理の主体は観察者検出部１０１であっても良い。
【０１１５】
上述では、まず優先度が同一である複数の観察者を特定し、次に立体視用眼鏡２００を特定した。しかし、この順序を逆にし、まず優先度が同一である複数の立体視用眼鏡２００を特定し、次に観察者を特定してもよい。かかる場合、眼鏡テーブル２Ｔの優先度には、異なる立体視用眼鏡２００に対して同一の優先度を設定できるようにする。他方、観察者テーブル１Ｔの優先度には、異なる観察者に対して同一の優先度を設定できないようにする。
制御部１０３は、観察者検出部１０１に撮影した画像から複数の立体視用眼鏡２００の画像を抽出し、抽出した画像に基づいて、眼鏡テーブル２Ｔから優先度を検出する。制御部１０３は、最も高い優先度の立体視用眼鏡２００が複数である場合、各立体視用眼鏡２００を装着している観察者各々の画像を抽出する。制御部１０３は、抽出した観察者各々の画像に基づいて、観察者テーブル１Ｔから優先度及びモードを検索する。制御部１０３は、検索した優先度が最も高い観察者に対応したモードを表示部１０９に表示する画像のモードに決定する。
【０１１６】
立体画像表示装置１００によれば、モード選択に関する優先度が同一の観察者が複数人いる場合であっても、表示モードに関する争いを防止することができる。
立体画像表示装置１００は、観察者の優先度が同じ場合、観察者が装着している立体視用眼鏡２００に対して設定された優先度に基づいて、表示部１０９に表示する画像のモードを決定する。従って、より優先度の高い観察者がより優先度の高い立体視用眼鏡２００を装着することにより、表示部１０９に表示する画像のモードは自動的に決定されるので、立体画像表示装置１００は観察者にとって使い勝手が良い。
【０１１７】
実施例３は以上の如きであり、その他は実施例１、２と同様であるので、対応する部分には同一の参照番号を付してその詳細な説明を省略する。
【産業上の利用可能性】
【０１１８】
本発明にかかる立体画像表示装置及び立体視用眼鏡は、観察者に切り替え操作を負担させることなく、個別の観察者の希望する３Ｄ画像または２Ｄ画像の表示状態を実現することに関するものである。
【符号の説明】
【０１１９】
１００  立体画像表示装置
１０１  観察者検出部（検出部）
１０２  観察者及び立体視用眼鏡データベース（データベース）
１０３  制御部（観察者登録手段、眼鏡登録手段、照合手段、判定手段）
１０５  送信部
１０６  チューナー部
１０７  外部入力部
１０８  画像処理部
１０９  表示部
２００、メガネ１〜メガネｎ  立体視用眼鏡
２０１  受信部
２０２  同期回路
２０３  制御部
２０４  右目用シャッター
２０５  左目用シャッター
２０６  着脱検知部
ＭＫ    個別選別用マーク部
観察者Ｈ１〜観察者Ｈ４、観察者
１Ｔ    観察者テーブル
２Ｔ    眼鏡テーブル
３ｆ    選択画面
【図１】
2012156991.tif 000003
【図２】
2012156991.tif 000004
【図３Ａ】
2012156991.tif 000005
【図３Ｂ】
2012156991.tif 000006
【図３Ｃ】
2012156991.tif 000007
【図３Ｄ】
2012156991.tif 000008
【図４】
2012156991.tif 000009
【図５Ａ】
2012156991.tif 000010
【図５Ｂ】
2012156991.tif 000011
【図５Ｃ】
2012156991.tif 000012
【図６】
2012156991.tif 000013
【図７】
2012156991.tif 000014
【図８】
2012156991.tif 000015
【図９】
2012156991.tif 000016
【図１０】
2012156991.tif 000017
【図１１】
2012156991.tif 000018
【図１２】
2012156991.tif 000019
【図１３】
2012156991.tif 000020
【図１４】
2012156991.tif 000021
【図１５】
2012156991.tif 000022
【図１６】
2012156991.tif 000023
【手続補正書】
【提出日】平成24年4月25日(2012.4.25)
【手続補正１】
【補正対象書類名】明細書
【補正対象項目名】００１１
【補正方法】変更
【補正の内容】
【００１１】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段と、該照合手段が照合した照合結果に基づいて、前記データベースに格納されている観察者の属性情報に応じた表示状態になるように、前記画面に表示される画像を立体画像として見るための同期信号を送信するための送信部とを備えることを特徴とする。
【手続補正２】
【補正対象書類名】明細書
【補正対象項目名】００１２
【補正方法】変更
【補正の内容】
【００１２】
本発明に係る立体画像表示装置は、前記検出部は、前記画面に向いている観察者と該観察者が装着している前記立体視用眼鏡とを前記データベースにより検出し、該データベースに格納されている観察者の属性情報に応じた表示状態になるように、前記観察者が装着している前記立体視用眼鏡に対して立体モードか平面モードかを指示する制御信号を前記同期信号に重畳するようにしてあることを特徴とする。
【手続補正３】
【補正対象書類名】明細書
【補正対象項目名】００１３
【補正方法】変更
【補正の内容】
【００１３】
本発明に係る立体画像表示装置は、前記検出部は検出された全ての前記観察者が前記立体視用眼鏡を装着しているか否かを判断するようにしてあり、前記検出部が装着していないと判断した場合は、前記画像処理部は立体画像における右目用画像又は左目用画像のどちらか一方に係る画像信号を出力するようにしてあることを特徴とする。
【手続補正４】
【補正対象書類名】明細書
【補正対象項目名】００１４
【補正方法】変更
【補正の内容】
【００１４】
本発明に係る立体画像表示装置は、前記照合手段が照合した照合結果に基づいて、前記検出部で検出された全ての前記観察者の属性情報が平面画像の表示選択に対応する場合は、前記画像処理部は立体画像における右目用画像又は左目用画像のどちらか一方に係る画像信号を出力するようにしてあることを特徴とする。
【手続補正５】
【補正対象書類名】明細書
【補正対象項目名】００１５
【補正方法】変更
【補正の内容】
【００１５】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段とを備え、前記データベースに、前記画面に表示される画像を観察する複数の観察者及び該複数の観察者間における優先度が夫々対応付けて登録されており、前記照合手段が照合した照合結果に基づいて、前記検出部が検出した複数の観察者のうち最も優先度の高い観察者が前記立体視用眼鏡を装着しているか否かを判定する判定手段を備え、前記画像処理部は、前記判定手段が最も優先度の高い観察者が前記立体視用眼鏡を装着していないと判定した場合、立体画像における右目用画像又は左目用画像のどちらか一方に係る画像信号を前記表示部に出力するようにしてあり、前記表示部は、前記画像処理部が出力した前記画像信号に係る画像を前記画面に表示するようにしてあることを特徴とする。
【手続補正６】
【補正対象書類名】明細書
【補正対象項目名】００１６
【補正方法】変更
【補正の内容】
【００１６】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段と、該照合手段が照合した照合結果に基づいて、前記表示部が前記画面に表示する立体画像に対応する同期信号を前記立体視用眼鏡に送信する送信部とを備え、前記データベースに、前記画面に表示される画像を観察する複数の観察者及び該複数の観察者間における優先度が夫々対応付けて登録されており、前記照合手段が照合した照合結果に基づいて、前記検出部が検出した複数の観察者のうち最も優先度の高い観察者が前記立体視用眼鏡を装着しているか否かを判定する判定手段を備え、前記画像処理部は、前記判定手段が最も優先度の高い観察者が前記立体視用眼鏡を装着していないと判定した場合、立体画像における右目用画像又は左目用画像のどちらか一方に係る画像信号を前記表示部に出力するようにしてあり、前記表示部は、前記画像処理部が出力した前記画像信号に係る画像を前記画面に表示するようにしてあり、前記送信部は、前記データベースに登録された平面画像又は立体画像の表示選択に対応する制御信号が重畳された前記同期信号を前記立体視用眼鏡に送信するようにしてあることを特徴とする。
【手続補正７】
【補正対象書類名】明細書
【補正対象項目名】００１７
【補正方法】変更
【補正の内容】
【００１７】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段とを備え、前記データベースに、前記画面に表示される画像を観察する複数の観察者及び該複数の観察者間における優先度が夫々対応付けて登録されており、前記画像処理部は、前記照合手段が照合した照合結果に基づいて、前記検出部が検出した複数の観察者のうち最も優先度の高い観察者及び平面画像の表示選択が対応する場合、立体画像における右目用画像又は左目用画像のどちらか一方に係る画像信号を前記表示部に出力するようにしてあり、前記表示部は、前記画像処理部が出力した前記画像信号に係る画像を前記画面に表示するようにしてあることを特徴とする。
【手続補正８】
【補正対象書類名】明細書
【補正対象項目名】００１８
【補正方法】変更
【補正の内容】
【００１８】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段とを備え、前記データベースに、前記画面に表示される立体画像を観察するための複数の立体視用眼鏡及び該複数の立体視用眼鏡間における優先度が夫々対応付けて登録されており、前記画像処理部は、前記照合手段が照合した照合結果に基づいて、前記検出部が検出した複数の立体視用眼鏡のうち最も優先度の高い立体視用眼鏡を装着した観察者及び平面画像の表示選択が対応する場合、立体画像における右目用画像又は左目用画像のどちらか一方に係る画像信号を前記表示部に出力するようにしてあり、前記表示部は、前記画像処理部が出力した前記画像信号に係る画像を前記画面に表示するようにしてあることを特徴とする。
【手続補正９】
【補正対象書類名】明細書
【補正対象項目名】００１９
【補正方法】変更
【補正の内容】
【００１９】
本発明に係る立体画像表示装置は、立体画像又は平面画像を表示部における前側の画面に表示する立体画像表示装置において、前記表示部に立体画像又は平面画像に係る画像信号を出力する画像処理部と、前記画面に表示される画像を観察する観察者及び該画面に表示される立体画像を観察するため該画面の前方に配置される立体視用眼鏡を検出する検出部と、前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、前記検出部が検出した観察者又は立体視用眼鏡及び前記データベースに登録された観察者又は立体視用眼鏡を夫々照合する照合手段と、該照合手段が照合した照合結果に基づいて、前記表示部が前記画面に表示する立体画像に対応する同期信号を前記立体視用眼鏡に送信する送信部とを備え、前記データベースに、前記画面に表示される画像を観察する複数の観察者及び該複数の観察者間における優先度並びに前記画面に表示される立体画像を観察するための複数の立体視用眼鏡及び該複数の立体視用眼鏡間における優先度が夫々対応付けて登録されており、前記画像処理部は、前記照合手段が照合した照合結果に基づいて、前記検出部が検出した複数の観察者のうち最も優先度の高い観察者が複数である場合、該観察者のうち最も優先度の高い立体視用眼鏡を装着した観察者及び平面画像の表示選択が対応するとき、立体画像における右目用画像又は左目用画像のどちらか一方に係る画像信号を前記表示部に出力するようにしてあり、前記表示部は、前記画像処理部が出力した前記画像信号に係る画像を前記画面に表示するようにしてあり、前記送信部は、前記データベースに登録された平面画像又は立体画像の表示選択に対応する制御信号が重畳された前記同期信号を前記立体視用眼鏡に送信するようにしてあることを特徴とする。
【手続補正１０】
【補正対象書類名】明細書
【補正対象項目名】００２０
【補正方法】変更
【補正の内容】
【００２０】
本発明に係る立体視用眼鏡は、開閉する右目用シャッター及び左目用シャッター並びに該両シャッターを縁取り、装着するためのフレームを備え、両眼視差技術を用いた立体画像を見るための立体視用眼鏡において、右目用画像及び左目用画像の表示タイミングに同期して送信される同期信号を受信する受信部と、該受信部で受信した同期信号に応じて、前記右目用シャッター及び左目用シャッターの開閉を制御する同期回路と、他の立体視用眼鏡と判別可能な個別選別用マーク部とを備えることを特徴とする。
【手続補正１１】
【補正対象書類名】明細書
【補正対象項目名】００２１
【補正方法】変更
【補正の内容】
【００２１】
本発明に係る立体視用眼鏡は、前記受信部は前記同期信号に重畳して送信される制御信号を受信し、受信した該同期信号及び制御信号を分離するようにしてあり、前記同期回路は、前記受信部で受信した制御信号により、平面画像表示を指示された場合には、前記左目用シャッター及び右目用シャッターの開閉タイミングを前記右目用画像又は左目用画像のどちらか一方の表示タイミングにする切替手段を有することを特徴とする。
【手続補正１２】
【補正対象書類名】明細書
【補正対象項目名】００２２
【補正方法】変更
【補正の内容】
【００２２】
本発明に係る立体視用眼鏡は、前記同期回路は、前記受信部が制御信号を受信している期間は、該制御信号を受信する以前の同期信号に同期して、自走するようにしてあることを特徴とする。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
本発明に係る立体視用眼鏡は、前記個別選別用マーク部は、正面側に設けられていることを特徴とする。
【手続補正１５】
【補正対象書類名】明細書
【補正対象項目名】００２５
【補正方法】変更
【補正の内容】
【００２５】
本発明に係る立体視用眼鏡は、前記個別選別用マーク部は、前記フレームの形状で他の立体視用眼鏡と識別可能なように該フレームの側面部分に設けられていることを特徴とする。
【手続補正１６】
【補正対象書類名】明細書
【補正対象項目名】００２６
【補正方法】変更
【補正の内容】
【００２６】
本発明に係る立体視用眼鏡は、着脱を検知するための着脱検知部を備え、該着脱検知部により脱離が検知された場合、該着脱検知部以外の構成部の電源をオフにする電源オフ部を備えることを特徴とする。
【手続補正１７】
【補正対象書類名】明細書
【補正対象項目名】００２７
【補正方法】変更
【補正の内容】
【００２７】
本発明に係る立体視用眼鏡は、前記着脱検知部は、鼻当て部分に設けられていることを特徴とする。
【手続補正１８】
【補正対象書類名】明細書
【補正対象項目名】００２８
【補正方法】変更
【補正の内容】
【００２８】
本発明に係る立体視用眼鏡は、前記着脱検知部は、装着された場合に前記観察者の肌に触れる前記フレームの内側部分に設けられていることを特徴とする。
【手続補正１９】
【補正対象書類名】明細書
【補正対象項目名】００２９
【補正方法】変更
【補正の内容】
【００２９】
本発明に係る立体視用眼鏡は、前記着脱検知部は、装着された場合に前記観察者の耳の上に乗る前記フレームの部分に設けられていることを特徴とする。
【手続補正２０】
【補正対象書類名】特許請求の範囲
【補正対象項目名】全文
【補正方法】変更
【補正の内容】
【特許請求の範囲】
【請求項１】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と、
該照合手段が照合した照合結果に基づいて、前記データベースに格納されている観察者の属性情報に応じた表示状態になるように、前記画面に表示される画像を立体画像として見るための同期信号を送信するための送信部と
を備える
ことを特徴とする立体画像表示装置。
【請求項２】
請求項１記載の立体画像表示装置であって、
前記検出部は、前記画面に向いている観察者と該観察者が装着している前記立体視用眼鏡とを前記データベースにより検出し、該データベースに格納されている観察者の属性情報に応じた表示状態になるように、前記観察者が装着している前記立体視用眼鏡に対して立体モードか平面モードかを指示する制御信号を前記同期信号に重畳するようにしてある
ことを特徴とする立体画像表示装置。
【請求項３】
請求項１又は請求項２記載の立体画像表示装置であって、
前記検出部は検出された全ての前記観察者が前記立体視用眼鏡を装着しているか否かを判断するようにしてあり、
前記検出部が装着していないと判断した場合は、前記画像処理部は立体画像における右目用画像又は左目用画像のどちらか一方に係る画像信号を出力するようにしてある
ことを特徴とする立体画像表示装置。
【請求項４】
請求項１又は請求項２記載の立体画像表示装置であって、
前記照合手段が照合した照合結果に基づいて、前記検出部で検出された全ての前記観察者の属性情報が平面画像の表示選択に対応する場合は、前記画像処理部は立体画像における右目用画像又は左目用画像のどちらか一方に係る画像信号を出力するようにしてある
ことを特徴とする立体画像表示装置。
【請求項５】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と
を備え、
前記データベースに、前記画面に表示される画像を観察する複数の観察者及び該複数の観察者間における優先度が夫々対応付けて登録されており、
前記照合手段が照合した照合結果に基づいて、前記検出部が検出した複数の観察者のうち最も優先度の高い観察者が前記立体視用眼鏡を装着しているか否かを判定する判定手段を備え、
前記画像処理部は、前記判定手段が最も優先度の高い観察者が前記立体視用眼鏡を装着していないと判定した場合、立体画像における右目用画像又は左目用画像のどちらか一方に係る画像信号を前記表示部に出力するようにしてあり、
前記表示部は、前記画像処理部が出力した前記画像信号に係る画像を前記画面に表示するようにしてある
ことを特徴とする立体画像表示装置。
【請求項６】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と、
該照合手段が照合した照合結果に基づいて、前記表示部が前記画面に表示する立体画像に対応する同期信号を前記立体視用眼鏡に送信する送信部と
を備え、
前記データベースに、前記画面に表示される画像を観察する複数の観察者及び該複数の観察者間における優先度が夫々対応付けて登録されており、
前記照合手段が照合した照合結果に基づいて、前記検出部が検出した複数の観察者のうち最も優先度の高い観察者が前記立体視用眼鏡を装着しているか否かを判定する判定手段を備え、
前記画像処理部は、前記判定手段が最も優先度の高い観察者が前記立体視用眼鏡を装着していないと判定した場合、立体画像における右目用画像又は左目用画像のどちらか一方に係る画像信号を前記表示部に出力するようにしてあり、
前記表示部は、前記画像処理部が出力した前記画像信号に係る画像を前記画面に表示するようにしてあり、
前記送信部は、前記データベースに登録された平面画像又は立体画像の表示選択に対応する制御信号が重畳された前記同期信号を前記立体視用眼鏡に送信するようにしてある
ことを特徴とする立体画像表示装置。
【請求項７】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と
を備え、
前記データベースに、前記画面に表示される画像を観察する複数の観察者及び該複数の観察者間における優先度が夫々対応付けて登録されており、
前記画像処理部は、前記照合手段が照合した照合結果に基づいて、前記検出部が検出した複数の観察者のうち最も優先度の高い観察者及び平面画像の表示選択が対応する場合、立体画像における右目用画像又は左目用画像のどちらか一方に係る画像信号を前記表示部に出力するようにしてあり、
前記表示部は、前記画像処理部が出力した前記画像信号に係る画像を前記画面に表示するようにしてある
ことを特徴とする立体画像表示装置。
【請求項８】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と
を備え、
前記データベースに、前記画面に表示される立体画像を観察するための複数の立体視用眼鏡及び該複数の立体視用眼鏡間における優先度が夫々対応付けて登録されており、
前記画像処理部は、前記照合手段が照合した照合結果に基づいて、前記検出部が検出した複数の立体視用眼鏡のうち最も優先度の高い立体視用眼鏡を装着した観察者及び平面画像の表示選択が対応する場合、立体画像における右目用画像又は左目用画像のどちらか一方に係る画像信号を前記表示部に出力するようにしてあり、
前記表示部は、前記画像処理部が出力した前記画像信号に係る画像を前記画面に表示するようにしてある
ことを特徴とする立体画像表示装置。
【請求項９】
立体画像又は平面画像を表示部における前側の画面に表示する立体画像表示装置において、
前記表示部に立体画像又は平面画像に係る画像信号を出力する画像処理部と、
前記画面に表示される画像を観察する観察者及び該画面に表示される立体画像を観察するため該画面の前方に配置される立体視用眼鏡を検出する検出部と、
前記画面に表示される画像を観察する観察者及び平面画像又は立体画像の表示選択を含む該観察者の属性情報並びに該画面に表示される立体画像を観察するための立体視用眼鏡及び該立体視用眼鏡の属性情報が夫々対応付けて登録されたデータベースと、
前記検出部が検出した観察者又は立体視用眼鏡及び前記データベースに登録された観察者又は立体視用眼鏡を夫々照合する照合手段と、
該照合手段が照合した照合結果に基づいて、前記表示部が前記画面に表示する立体画像に対応する同期信号を前記立体視用眼鏡に送信する送信部と
を備え、
前記データベースに、前記画面に表示される画像を観察する複数の観察者及び該複数の観察者間における優先度並びに前記画面に表示される立体画像を観察するための複数の立体視用眼鏡及び該複数の立体視用眼鏡間における優先度が夫々対応付けて登録されており、
前記画像処理部は、前記照合手段が照合した照合結果に基づいて、前記検出部が検出した複数の観察者のうち最も優先度の高い観察者が複数である場合、該観察者のうち最も優先度の高い立体視用眼鏡を装着した観察者及び平面画像の表示選択が対応するとき、立体画像における右目用画像又は左目用画像のどちらか一方に係る画像信号を前記表示部に出力するようにしてあり、
前記表示部は、前記画像処理部が出力した前記画像信号に係る画像を前記画面に表示するようにしてあり、
前記送信部は、前記データベースに登録された平面画像又は立体画像の表示選択に対応する制御信号が重畳された前記同期信号を前記立体視用眼鏡に送信するようにしてある
ことを特徴とする立体画像表示装置。
【請求項１０】
開閉する右目用シャッター及び左目用シャッター並びに該両シャッターを縁取り、装着するためのフレームを備え、両眼視差技術を用いた立体画像を見るための立体視用眼鏡において、
右目用画像及び左目用画像の表示タイミングに同期して送信される同期信号を受信する受信部と、
該受信部で受信した同期信号に応じて、前記右目用シャッター及び左目用シャッターの開閉を制御する同期回路と、
他の立体視用眼鏡と判別可能な個別選別用マーク部と
を備える
ことを特徴とする立体視用眼鏡。
【請求項１１】
請求項１０記載の立体視用眼鏡であって、
前記受信部は前記同期信号に重畳して送信される制御信号を受信し、受信した該同期信号及び制御信号を分離するようにしてあり、
前記同期回路は、前記受信部で受信した制御信号により、平面画像表示を指示された場合には、前記左目用シャッター及び右目用シャッターの開閉タイミングを前記右目用画像又は左目用画像のどちらか一方の表示タイミングにする切替手段を有する
ことを特徴とする立体視用眼鏡。
【請求項１２】
請求項１０又は請求項１１記載の立体視用眼鏡であって、
前記同期回路は、前記受信部が制御信号を受信している期間は、該制御信号を受信する以前の同期信号に同期して、自走するようにしてある
ことを特徴とする立体視用眼鏡。
【請求項１３】
請求項１０から請求項１２記載の立体視用眼鏡であって、
前記個別選別用マーク部は、正面側に設けられている
ことを特徴とする立体視用眼鏡。
【請求項１４】
請求項１０から請求項１２記載の立体視用眼鏡であって、
前記個別選別用マーク部は、前記フレームの形状で他の立体視用眼鏡と識別可能なように該フレームの側面部分に設けられている
ことを特徴とする立体視用眼鏡。
【請求項１５】
請求項１０から請求項１４記載の立体視用眼鏡であって、
着脱を検知するための着脱検知部を備え、
該着脱検知部により脱離が検知された場合、該着脱検知部以外の構成部の電源をオフにする電源オフ部を備える
ことを特徴とする立体視用眼鏡。
【請求項１６】
請求項１５記載の立体視用眼鏡であって、
前記着脱検知部は、鼻当て部分に設けられている
ことを特徴とする立体視用眼鏡。
【請求項１７】
請求項１５記載の立体視用眼鏡であって、
前記着脱検知部は、装着された場合に前記観察者の肌に触れる前記フレームの内側部分に設けられている
ことを特徴とする立体視用眼鏡。
【請求項１８】
請求項１５記載の立体視用眼鏡であって、
前記着脱検知部は、装着された場合に前記観察者の耳の上に乗る前記フレームの部分に設けられている
ことを特徴とする立体視用眼鏡。